(57)【要約】広告掲載行為に使用される情報を調整する方法（２２）。この方法（２２）は、売れ残った広告スペース（２８）のための広告と関連づけられた複数の広告情報の組（２６）を受信するステップを含む。この複数の広告情報の組（２６）は保存される。方法（２２）は、行き詰まった広告掲載行為における基準に合致する少なくとも一組（３８）を特定するために、保存された複数の広告情報の組（２２）を検索するステップを含む。他の態様も提供される。【選択図】図２
2008544380.tif 000002
【特許請求の範囲】
【請求項１】
広告スペースに関連づけられる広告情報を受信するステップと、
前記受信された広告情報と関係を有する広告情報を送信するステップと、
を含むことを特徴とする広告方法。
【請求項２】
広告スペースに関連づけられる広告情報を受信する手段と、
前記受信された広告情報と関係を有する広告情報を送信する手段と、
を含むことを特徴とする広告システム。
【請求項３】
広告掲載行為に使用される情報を調整する方法であって、
売れ残った広告スペースのための広告に関連づけられる複数の広告情報の組を受信するステップと、
前記複数の広告情報の組を保存するステップと、
行き詰まった広告掲載行為における基準に合致する少なくとも一組を特定するために、前記保存された複数の広告情報の組を検索するステップと、
を含むことを特徴とする方法。
【請求項４】
前記複数の広告情報の組を受信するステップは、売れ残った広告スペースの販売をそれぞれ提案する複数の広告情報の組を受信することを含むことを特徴とする請求項３に記載の方法。
【請求項５】
行き詰まった広告掲載行為において使用されるための広告をそれぞれ提案する複数の広告情報の組を受信するステップをさらに含むことを特徴とする請求項４に記載の方法。
【請求項６】
前記行き詰まった広告掲載行為における基準は、行き詰まった広告掲載行為において使用されるための広告をそれぞれ提案する複数の広告情報の組の中から選択された１つから生成されることを特徴とする請求項５に記載の方法。
【請求項７】
前記複数の広告情報の組を受信するステップは、行き詰まった広告掲載行為において使用されるための広告をそれぞれ提案する複数の広告情報の組を受信することを含むことを特徴とする請求項３に記載の方法。
【請求項８】
売れ残った広告スペースの販売をそれぞれ提案する複数の広告情報の組を受信するステップをさらに含むことを特徴とする請求項７に記載の方法。
【請求項９】
前記行き詰まった広告掲載行為における基準は、売れ残った広告スペースの販売をそれぞれ提案する複数の広告情報の組の中から選択された１つから生成されることを特徴とする請求項８に記載の方法。
【請求項１０】
売れ残った広告スペースのための広告を目標とするグループに提案するステップをさらに含むことを特徴とする請求項３から９のいずれかに記載の方法。
【請求項１１】
売れ残った広告スペースを目標とするグループに提案するステップをさらに含むことを特徴とする請求項３から９のいずれかに記載の方法。
【請求項１２】
当該方法は、コンピュータネットワークを使用して実行されることを特徴とする請求項３から９のいずれかに記載の方法。
【請求項１３】
当該方法は、情報資源および検索装置を提供することを含み、
前記検索装置は、当該方法の実行で用いるグラフィカルユーザインタフェースを識別する機能を提供し、
前記グラフィカルユーザインタフェースは、前記情報資源と接続されることを特徴とする請求項３から９のいずれかに記載の方法。
【請求項１４】
広告掲載行為に使用される情報を調整するシステムであって、
売れ残った広告スペースのための広告に関連づけられる複数の広告情報の組を受信する受信手段と、
前記複数の広告情報の組を保存する保存手段と、
行き詰まった広告掲載行為における基準に合致する少なくとも一組を特定するために、前記保存された複数の広告情報の組を検索する検索手段と、
を含むことを特徴とするシステム。
【請求項１５】
前記複数の広告情報の組を受信する受信手段は、売れ残った広告スペースの販売をそれぞれ提案する複数の広告情報の組を受信する手段を含むことを特徴とする請求項１４に記載のシステム。
【請求項１６】
前記複数の広告情報の組を受信する受信手段は、行き詰まった広告掲載行為において使用されるための広告をそれぞれ提案する複数の広告情報の組を受信する手段を含むことを特徴とする請求項１４または１５に記載のシステム。
【請求項１７】
世界規模のシステムを介して、オンラインのグラフィカルユーザインタフェースを提供する手段をさらに含むことを特徴とする請求項１４から１６のいずれかに記載のシステム。
【請求項１８】
前記システムは、ワールドワイドウェブであることを特徴とする請求項１７に記載のシステム。
【請求項１９】
広告掲載行為に使用される情報を調整する方法であって、
行き詰まった広告掲載行為において使用されるための広告をそれぞれ提案する複数の広告情報の組を受信するステップと、
前記複数の広告情報の組を保存するステップと、
行き詰まった広告掲載行為における基準に合致する少なくとも一組を特定するために、広告をそれぞれ提案する前記保存された複数の広告情報の組を検索するステップと、
を含むことを特徴とする方法。
【請求項２０】
売れ残った広告スペースの販売の提案に関連づけられる広告情報の組を受信するステップをさらに含み、
前記広告情報の組は、前記広告掲載行為における基準を含むことを特徴とする請求項１９に記載の方法。
【請求項２１】
売れ残った広告スペースの販売を提案する前記広告情報の組を、前記販売における要求額が価格表と合致するように制御するステップをさらに含むことを特徴とする請求項２０に記載の方法。
【請求項２２】
売れ残った広告スペースの販売を提案する前記広告情報の組にて使用される情報項目を事前設定するステップをさらに含むことを特徴とする請求項１９または２０に記載の方法。
【請求項２３】
広告掲載行為に使用される情報を調整する方法であって、
広告スペースの販売をそれぞれ提案する複数の広告情報の組を受信するステップと、
前記複数の広告情報の組を保存するステップと、
行き詰まった広告掲載行為における基準に合致する少なくとも一組を特定するために、広告スペースの販売をそれぞれ提案する前記保存された複数の広告情報の組を検索するステップと、
を含むことを特徴とする方法。
【請求項２４】
行き詰まった広告掲載行為において使用されるための広告と関連づけられる広告情報の組を受信するステップをさらに含み、
前記広告情報の組は、前記広告掲載行為における基準を含むことを特徴とする請求項２３に記載の方法。
【請求項２５】
行き詰まった広告掲載行為において使用されるための広告を提案する前記広告情報の組を、前記行き詰まった広告掲載行為に対する提案金額が価格表と合致するように制御するステップをさらに含むことを特徴とする請求項２４に記載の方法。
【請求項２６】
行き詰まった広告掲載行為において使用されるための広告を提案する前記広告情報の組にて使用される情報項目を事前設定するステップをさらに含むことを特徴とする請求項２４または２５に記載の方法。
【請求項２７】
広告掲載行為に使用される情報を調整する方法であって、
広告スペースのための広告と関連づけられる広告情報の組を受信するステップであって、前記広告情報の組は、その後、多くの受信された複数の広告情報の組の一部となるステップと、
特定の情報項目を含むように前記広告情報の組を制御する選択肢を提供し、前記選択肢にしたがって販売金額を決定するステップと、
を含むことを特徴とする方法。
【請求項２８】
前記広告情報の組は、広告スペースの販売を提案し、
前記選択肢は、望ましい色、画像、特殊な表示形式、優先順位リスト、および目標とする市場のリストの中の少なくとも１つを含むことを特徴とする請求項２７に記載の方法。
【請求項２９】
第１の発行媒体に関連づけられる第１の広告情報の組を受信するステップと、
第２の発行媒体に関連づけられる第２の広告情報の組を受信するステップと、
値引きされるパッケージに関連づけられる合成された広告情報の組を生成するステップと、
を含み、
前記生成するステップは、前記第１の広告情報の組と前記第２の広告情報の組とを組み合わせることを含むことを特徴とする方法。
【請求項３０】
前記合成された広告情報の組を生成するステップは、前記第１の発行媒体と異なる前記第２の発行媒体に制約されることを特徴とする請求項２９に記載の方法。
【請求項３１】
前記第１の発行媒体が前記第２の発行媒体と異なるとき、値引きされる販売金額を決定するステップをさらに含むことを特徴とする請求項３０に記載の方法。
【請求項３２】
それぞれの発行媒体にそれぞれ関連づけられる３つの広告情報の組を受信するステップをさらに含み、
前記３つの広告情報の組は、前記第１および第２の広告情報の組を含み、
前記それぞれの発行媒体は異なり、
前記生成するステップは、前記広告情報の組のそれぞれを組み合わせることを特徴とする請求項２９、３０、または３１に記載の方法。
【請求項３３】
広告掲載行為に使用される情報を調整する方法であって、
広告スペースのための広告と関連づけられる複数の広告情報の組を受信するステップと、
前記複数の広告情報の組を保存するステップと、
少なくとも一国もしくは万国に基づく検索を指定するためのグループから選択される検索を指定する基準であって、広告掲載行為における基準についての入力を制御するステップと、
広告掲載行為における基準と合致する少なくとも一組を特定するために、前記保存された複数の広告情報の組を検索するステップと、
を含むことを特徴とする方法。
【請求項３４】
前記広告スペースは、売れ残った広告スペースであることを特徴とする請求項３３に記載の方法。
【請求項３５】
広告掲載行為に使用される情報を調整する方法であって、
行き詰まった広告掲載行為において使用されるための広告をそれぞれ提案する複数の広告情報の組を受信するステップと、
前記複数の広告情報の組を保存するステップと、
を含み、
行き詰まった広告掲載行為において使用されるための広告をそれぞれ提案する前記複数の広告情報の組のそれぞれは、関連づけられる販売金額を含むことで、行き詰まった広告掲載行為における基準であって、前記関連づけられる販売金額の制限を特定する基準にしたがった検索を可能にすることを特徴とする方法。
【請求項３６】
広告掲載行為に使用される情報を調整する方法であって、
行き詰まった広告掲載行為において使用されるための広告をそれぞれ提案し、関連づけられる販売金額をそれぞれ含む複数の広告情報の組を受信するステップと、
前記複数の広告情報の組を保存するステップと、
行き詰まった広告掲載行為における基準であって、前記関連づけられる販売金額の制限を特定する基準と合致する少なくとも一組を特定するために、広告をそれぞれ提案する前記保存された複数の広告情報の組を検索するステップと、
を含むことを特徴とする方法。
【請求項３７】
広告掲載行為に使用される情報を調整する方法であって、
オークションを開始するステップと、
売れ残った広告スペースのための広告に対応づけられる情報であって、関連づけられる販売金額をそれぞれ含む複数の広告情報の組を受信するステップと、
前記オークションの中で、前記関連づけられる販売金額に基づいて、前記複数の広告情報の組の中から１つを選択するステップと、
を含むことを特徴とする方法。
【請求項３８】
広告掲載行為に使用される情報を調整する方法であって、
広告スペースのための広告と関連づけられる複数の広告情報の組を受信するステップと、
前記複数の広告情報の組を保存するステップと、
行き詰まった広告掲載行為における基準と合致する少なくとも一組を特定するために、前記保存された複数の広告情報の組を検索するステップと、
を含み、
前記複数の広告情報の組は、出版広告、テレビ広告、ラジオ広告のグループから選択される少なくとも１つの媒体種類と関連していることを特徴とする方法。
【請求項３９】
広告掲載行為に使用される情報を調整する方法であって、
バナー用広告スペースのための広告と関連づけられる広告情報の組を受信するステップと、
前記広告情報の組をそれぞれのバナー広告と関連づけるステップと、
を含むことを特徴とする方法。
【請求項４０】
前記広告情報の組をそれぞれのバナー広告と関連づけるステップは、バナー広告を作成することを含むことを特徴とする請求項３９に記載の方法。
【請求項４１】
広告掲載行為に使用される情報を調整する方法であって、
バナー用広告スペースのための広告と関連づけられる複数の広告情報の組を受信するステップと、
広告情報の各組がバナー用広告スペースのそれぞれおよびバナー広告のそれぞれと関連づけられるように、複数の広告情報の組をそれぞれ関連づけるステップと、
を含むことを特徴とする方法。
【請求項４２】
前記広告情報の組は、バナー用広告スペースの提案および／またはバナー広告の提案を含むことを特徴とする請求項４１に記載の方法。
【請求項４３】
前記複数の広告情報の組を保存するステップと、
バナーの広告掲載行為における基準と合致する少なくとも一組を特定するために、前記保存された複数の広告情報の組を検索するステップと、
をさらに含むことを特徴とする請求項４１または４２に記載の方法。
【請求項４４】
広告掲載行為に使用される情報を調整する方法であって、
広告スペースのための広告と関連づけられる広告情報の組を受信するステップであって、前記広告情報の組は、その後、多くの受信された複数の広告情報の組の１つとなるステップと、
コミュニティを意識する関係者への寄贈に関連づけられる特定項目を含む選択肢を提供するステップと、
を含むことを特徴とする方法。
【請求項４５】
前記複数の広告情報の組は、広告スペースの販売をそれぞれ提案し、
前記選択肢は、前記広告スペースが所定期限内に販売されない場合、前記コミュニティを意識する関係者に前記広告スペースを使用させることを含むことを特徴とする請求項４４に記載の方法。
【請求項４６】
資金提供に使用される情報を調整する方法であって、
資金提供に関連づけられる資金提供情報の組を受信するステップと、
前記受信された資金提供情報の組に基づいて、資金提供を提案するステップと、
を含むことを特徴とする方法。
【請求項４７】
資金提供に使用される情報を調整する方法であって、
潜在的な資金提供に関連づけられる複数の資金提供情報の組を受信するステップと、
各資金提供情報の組がそれぞれの資金提供と関連づけられるように、複数の資金提供情報の組をそれぞれ関連づけるステップと、
を含むことを特徴とする方法。
【請求項４８】
広告掲載行為に使用される情報を調整する方法であって、
広告スペースの提案の選択を許可するステップと、
広告が所定期限で作成されるために、広告を作成するための作成サービスを提供するステップと、
を含むことを特徴とする方法。
【請求項４９】
広告掲載行為に使用される情報を調整する方法であって、
売れ残った広告スペースのための広告に関連づけられる広告情報の組を受信するステップと、
広告が行き詰まった所定期限で作成されるために、広告を作成するための作成サービスを提供するステップと、
を含むことを特徴とする方法。
【請求項５０】
前記広告を作成するためのデザインサービスを提供するステップは、オンライン環境を使用して、デザインが３０分以内に作成されるように提供されることを特徴とする請求項４９に記載の方法。
【請求項５１】
前記広告を作成するためのデザインサービスを提供するステップは、オンライン環境を使用して、デザインが１時間以内に作成されるように提供されることを特徴とする請求項４９に記載の方法。
【請求項５２】
前記広告を作成するためのデザインサービスを提供するステップは、オンライン環境を使用して、デザインが数時間以内に作成されるように提供されることを特徴とする請求項４９に記載の方法。
【請求項５３】
前記広告を作成するためのデザインサービスを提供するステップは、オンライン環境を使用して、デザインが１２時間以内に作成されるように提供されることを特徴とする請求項４９に記載の方法。
【請求項５４】
前記広告を作成するためのデザインサービスを提供するステップは、オンライン環境を使用して、デザインが４８時間以内に作成されるように提供されることを特徴とする請求項４９に記載の方法。
【請求項５５】
前記広告を作成するためのデザインサービスを提供するステップは、オンライン環境を使用して、デザインが３日以内に作成されるように提供されることを特徴とする請求項４９に記載の方法。
【請求項５６】
セッションを生成するステップと、
前記セッションにおいて、所定期限内での広告スペースの購入、広告のデザイン、およびデザインが施された広告の提供を手配するステップと、
を含むことを特徴とする広告方法。
【請求項５７】
広告掲載行為に使用される情報を調整する方法であって、
売れ残った広告スペースのための広告と関連づけられる複数の広告情報の組を受信するステップと、
前記複数の広告情報の組を保存するステップと、
行き詰まった広告掲載行為における基準に合致する少なくとも一組を特定するために、前記保存された複数の広告情報の組を検索するステップと、
前記行き詰まった広告掲載行為における基準に合致する少なくとも一組と関連づけられる関係者にアラートを送信するステップと、
を含むことを特徴とする方法。
【請求項５８】
広告掲載行為に使用される情報を調整する方法であって、
行き詰まった広告掲載行為において使用されるための広告をそれぞれ提案する複数の広告情報の組を受信するステップと、
前記複数の広告情報の組を保存するステップと、
行き詰まった広告掲載行為における基準に合致する少なくとも一組を特定するために、広告をそれぞれ提案する前記保存された複数の広告情報の組を検索するステップと、
前記行き詰まった広告掲載行為における基準に合致する一組が特定されるとき、関係者にアラートを送信するステップと、
を含むことを特徴とする方法。
【請求項５９】
前記アラートを送信するステップは、行き詰まった広告掲載行為において使用されるための広告を提案する関係者に前記アラートを送信することを含むことを特徴とする請求項５８に記載の方法。
【請求項６０】
前記アラートを送信するステップは、売れ残った広告スペースを購入するために、行き詰まった期間内に返信することを前記関係者に要求する緊急アラートを送信することを含むことを特徴とする請求項５８に記載の方法。
【請求項６１】
当該方法は、完成され、締め切りに間に合うように準備できる広告を前記関係者が保持することを要求することを特徴とする請求項５８、５９、または６０に記載の方法。
【請求項６２】
前記行き詰まった期間は２日未満であり、前記締め切りは３日未満であることを特徴とする請求項６１に記載の方法。
【請求項６３】
前記行き詰まった期間は約１２時間未満であり、前記締め切りは２日未満であることを特徴とする請求項６１に記載の方法。
【請求項６４】
前記行き詰まった期間は約３０分であり、前記締め切りは約２時間であることを特徴とする請求項６１に記載の方法。
【請求項６５】
広告掲載行為に使用される情報を調整する方法であって、
広告スペースの販売をそれぞれ提案する複数の広告情報の組を受信するステップと、
前記複数の広告情報の組を保存するステップと、
行き詰まった広告掲載行為における基準に合致する少なくとも一組を特定するために、広告スペースの販売をそれぞれ提案する前記保存された複数の広告情報の組を検索するステップと、
前記行き詰まった広告掲載行為における基準に合致する一組が特定されるとき、関係者にアラートを送信するステップと、
を含むことを特徴とする方法。
【請求項６６】
広告掲載行為に使用される情報を調整する方法であって、
売れ残った広告スペースのための広告と関連づけられる複数の広告情報の組を受信するステップと、
前記複数の広告情報の組を保存するステップと、
行き詰まった広告掲載行為における基準に合致する少なくとも一組を特定するために、前記保存された複数の広告情報の組を検索するステップと、
特定の複数の広告情報の組が行き詰まった広告掲載行為における基準に繰り返し合致しないとき、前記特定の複数の広告情報の組を強調表示するステップと、
を含むことを特徴とする方法。
【請求項６７】
前記複数の広告情報の組を強調表示するステップは、前記特定の複数の広告情報の組に読み手を誘導するためのオンライン出版物を提供することを含むことを特徴とする請求項６６に記載の方法。
【請求項６８】
広告掲載行為に使用される情報を調整する方法であって、
売れ残った広告スペースのための広告と関連づけられる複数の広告情報の組を受信するステップと、
前記複数の広告情報の組についての統計データを整備するステップと、
を含むことを特徴とする方法。
【請求項６９】
広告掲載行為に使用される情報を調整する方法であって、
売れ残った広告スペースのための広告と関連づけられる複数の広告情報の組を受信するステップと、
行き詰まった広告掲載行為における基準に合致する少なくとも一組を特定するために、保存された複数の広告情報の組を検索するステップと、
前記複数の広告情報の組についての統計データを整備するステップと、
を含むことを特徴とする方法。
【請求項７０】
前記統計データを整備するステップは、前記保存された複数の広告情報の組の中でどれが繰り返し検索されたかを示す統計データを整備することを含むことを特徴とする請求項６９に記載の方法。
【請求項７１】
広告掲載行為に使用される情報を調整する方法であって、
売れ残った広告スペースのための広告と関連づけられる広告情報の組を受信するステップと、
オンラインシステムを使用して、前記広告情報の組に関連づけられる必要な投資利益率の目安の計算を促進するステップと、
を含むことを特徴とする方法。
【請求項７２】
前記計算に基づいて、少なくとも１つの広告もしくは少なくとも１つの売れ残った広告スペースを提案するステップをさらに含むことを特徴とする請求項７１に記載の方法。
【請求項７３】
販売戦略を提案するステップをさらに含むことを特徴とする請求項７１または７２に記載の方法。
【請求項７４】
行き詰まった広告掲載行為を売買するシステムであって、
行き詰まった広告掲載行為を購入および／または販売するために、会員登録した少なくとも一の買い手および／または会員登録した少なくとも一の売り手によりアクセス可能な少なくとも一のデータベースを有するサーバと、
前記買い手および／または売り手が前記サーバと相互作用するための手段を提供するウェブサイトの形式であるオンラインインタフェースと、
前記売り手が、利用可能な行き詰まった広告掲載行為のための少なくとも一の広告であって、少なくとも一の広告の定価を含み、前記行き詰まった広告掲載行為に関する全ての関連情報を詳述する広告を直接アップロードできる手段と、
前記買い手が利用可能な行き詰まった広告掲載行為を検索して選択できる検索手段と、
前記買い手が行き詰まった広告掲載行為を直接購入できる支払い手段と、
前記買い手が広告用コンテンツを直接アップロードできる手段と、
を含むことを特徴とするシステム。
【請求項７５】
行き詰まった広告掲載行為を売買する方法であって、
分散された通信網上にサーバを提供するステップと、
前記サーバは、行き詰まった広告掲載行為を購入および／または販売するために、会員登録した少なくとも一の買い手および／または会員登録した少なくとも一の売り手によりアクセス可能な少なくとも一のデータベースを有し、
前記売り手が行き詰まった広告掲載行為において使用される少なくとも一の広告を直接アップロードするステップと、
検索手段を介して、前記買い手が少なくとも一の検索基準を入力することにより利用可能な行き詰まった広告掲載行為を検索して、前記検索基準に合致する利用可能な行き詰まった広告掲載行為を詳述する検索結果を受信するステップと、
前記買い手が少なくとも一の行き詰まった広告掲載行為を選択し、当該選択した行き詰まった広告掲載行為を直接購入するステップと、
前記買い手が広告用コンテンツを直接アップロードするステップと、
を含むことを特徴とする方法。
【請求項７６】
前記行き詰まった広告掲載行為は、値引きされた料金で提案されて購入されることを特徴とする上記請求項のいずれかに記載の行き詰まった広告掲載行為を売買する方法およびシステム。
【請求項７７】
デザインサービスをさらに含み、
前記買い手は、行き詰まった広告掲載行為を購入した後で、特定の公開期限までに、前記デザインサービスによりデザインもしくは創作業務を完成させてアップロードさせることを選択できることを特徴とする上記請求項のいずれかに記載の行き詰まった広告掲載行為を売買する方法およびシステム。
【請求項７８】
設定されている所定の命令にしたがって動作するように適合させられるプロセッサを含み、
前記設定されている命令に連動して、上記請求項のいずれかに記載の方法を実行するように適合させられる装置。
【請求項７９】
コンピュータが使用可能な媒体に格納されるコンピュータが読み取り可能なコードを含むコンピュータプログラムプロダクトであって、
前記コンピュータが使用可能な媒体は、データ処理システム内で、上記請求項のいずれかに記載されているように、行き詰まった広告掲載行為において使用されるために、当該媒体にて具現化されるコンピュータが読み取り可能なプログラムコードおよびコンピュータが読み取り可能なシステムコードを有することを特徴とするコンピュータプログラムプロダクト。
【請求項８０】
添付の図面において実質的に記載されている方法。
【請求項８１】
添付の図面において実質的に記載されているシステム。
【発明の詳細な説明】
【技術分野】
【０００１】
ある態様において、本発明は広告掲載行為の分野に関する。他の態様において、本発明は資金提供に関する。
【０００２】
本発明の好適な態様は、売れ残った広告スペース（distressed advertising space）を提供して販売するためのオンラインの方法およびシステムを提供する。
【０００３】
媒体は、印刷物、インターネット、または情報伝達媒体のいかなる種類を含んでもよい。例えば、オンラインの媒体、戸外の媒体、環境の媒体、電子媒体、将来利用可能になる新たな媒体を含むその他の媒体を含んでもよい。
【０００４】
２００５年６月２２日に出願されたオーストラリアの仮特許出願第２００５９０３２８６号の開示は、参照により本出願に援用される。さらに、２００５年１０月２８日に出願されたオーストラリアのイノベーション特許出願第ＡＵ２００５１００９１２５号の開示は、参照により本出願に援用される。
【０００５】
以下のいくつかの部分で、便宜上、本発明を行き詰まった広告掲載行為（distressed advertising）と関連づけて記述しているが、本発明はそのような使用のみに限定されないと理解されるべきである。
【発明の開示】
【発明が解決しようとする課題】
【０００６】
本明細書を通しての考察は、発明者の理解および／または発明者によるいくつかの先行技術の確認の結果、実現されるものである。
【０００７】
ほとんどの種類の媒体は、指定された割合または量のスペースを有しており、そのスペースは、広告掲載行為のために取っておかれるスペースであり、または、広告掲載行為のために利用されるスペースである。例えば、個人および／または企業は、彼らの広告を公開する出版物に対して金銭を支払うことと引き替えに、彼らの商品および／またはサービスを宣伝できる。
【０００８】
これに関連して、本発明は、改善を提供しようとし、少なくとも有用な選択肢を公衆に提供する。
【０００９】
さらに、これらの種類の媒体は、締め切りに制約される。この締め切りは、広告掲載行為のために取っておかれた指定スペースを考慮する際に問題となりうる。その結果として、ある媒体において締め切りが近づくと、まだ販売されていない広告スペースは、その媒体の出版物が時間通りに完成するように、その媒体の出版社によって既存顧客に割り引かれた料金で提供され、または贈り物として無償で提供される。
【００１０】
これに関連して、本発明は、改善を提供しようとし、少なくとも有用な選択肢を公衆に提供する。
【００１１】
典型的に、ウェブページのバナーはシステムでクリックが発生したときに作動する。このシステムにおいてリソースは、バナーがクリックされたウェブページを提供するリソースの指標を検出するために、ログファイルシステムを使用する。このリソースは、それから、バナーを提供するリソースもしくはそれとともに関連づけられている関係者に少額の金銭を提供するために作用し始める。
【００１２】
ウェブページのバナーは、典型的には、広告掲載行為の一態様として考えられる。これに関連して、本発明は、改善を提供しようとし、少なくとも有用な選択肢を公衆に提供する。
【００１３】
現在のオンラインシステムは、本発明者により確認された多数の問題を抱えている。これらの問題が、売り手、買い手、および／または代理店の利益となるように適切に処理されれば、それは好都合であろう。
【００１４】
本明細書における資料、装置、言動または知見の考察は、本発明の内容を説明するために含まれている。構成要素のいずれかが、ここでの開示および請求項の優先日もしくはそれ以前の従来技術の一部、または、オーストラリアまたはその他の国における関連技術の一般知識の一部を構成すると認めるべきではない。
【課題を解決するための手段】
【００１５】
Ａ  広告掲載行為
本発明のある態様は、広告方法である。この方法は、広告スペースに関連づけられる広告情報を受信するステップと、受信された広告情報と関係を有する広告情報を送信するステップとを含む。
【００１６】
この広告情報は、小売りに関する広告掲載行為、安売りに関する広告掲載行為、もしくは行き詰まった広告掲載行為のいずれか少なくとも１つに関連づけられてもよい。
【００１７】
「行き詰まった広告掲載行為」とは、ここでは、タイムリミット寸前のもしくは販売できていない広告掲載行為として定義される。
【００１８】
Ｂ  行き詰まった広告掲載行為
本発明のある態様は、広告掲載行為に使用される情報を調整する方法である。この方法は、売れ残った広告スペースのための広告に関連づけられる複数の広告情報の組を受信するステップと、複数の広告情報の組を保存するステップと、行き詰まった広告掲載行為における基準に合致する少なくとも一組を特定するために、保存された複数の広告情報の組を検索するステップとを含む。
【００１９】
本発明のある態様は、広告掲載行為に使用される情報を調整するシステムである。このシステムは、売れ残った広告スペースのための広告に関連づけられる複数の広告情報の組を受信する受信手段と、複数の広告情報の組を保存する保存手段と、行き詰まった広告掲載行為における基準に合致する少なくとも一組を特定するために、保存された複数の広告情報の組を検索する検索手段とを含む。
【００２０】
ここに記載される本発明の方法についての好ましい特徴は、実現および実行する手段の形式である好ましいシステムに対しても等しく適用されると理解されるべきである。方法の特徴との等価物についての詳細事項が提示されず、もしくはシステムの特徴が提示されない場合であっても、読者は、適切に判断できると考えられる。
【００２１】
例えば、この方法は、好ましくは、売れ残った広告スペースの販売をそれぞれ提案する複数の広告情報の組を受信するステップを含む。そして、複数の広告情報の組を受信する受信手段は、好ましくは、売れ残った広告スペースの販売をそれぞれ提案する複数の広告情報の組を受信する手段を含む。
【００２２】
この方法は、好ましくは、売れ残った広告スペースの販売をそれぞれ提案する複数の広告情報の組を受信するステップを含む。
【００２３】
複数の広告情報の組を受信する受信手段は、好ましくは、売れ残った広告スペースの販売をそれぞれ提案する複数の広告情報の組を受信する手段である。
【００２４】
この方法は、好ましくは、行き詰まった広告掲載行為において使用されるための広告をそれぞれ提案する複数の広告情報の組を受信するステップを含む。複数の広告情報の組を受信する受信手段は、好ましくは、行き詰まった広告掲載行為において使用される売れ残った広告をそれぞれ提案する複数の広告情報の組を受信する手段である。
【００２５】
好ましくは、複数の広告情報の組を受信する手段は、所定の複数の緊急指標に同調して、売れ残った広告スペースの販売の提案を受信するように適合される。
【００２６】
上述したように、他の態様および好ましい態様は、本明細書において開示され、および／または、本発明の記載の一部を構成する添付の特許請求の範囲に規定される。
【００２７】
本発明の好ましい態様のいくつかは、広告の必要条件を考慮して行き詰まった広告掲載行為を調達する出版会社および／または媒体の提供者に許可されると理解されるべきである。これらの好ましい態様は、また好ましくは、出版会社および／または媒体提供者から様々な種類の製品やサービスについての行き詰まった広告掲載行為を購入するにあたり、広告露出を獲得する可能性と比較して比較的低価格にて購入することを広告スペースの購入者のグループに許可するという有利な点を有する。
【００２８】
好ましくは、本発明は、マーケティング担当者、広告掲載行為の買い手、もしくは広告掲載行為を購入または販売したいその他の専門家のような目標とする顧客に焦点を絞られる。本発明は、これにしたがって目標とするグループに対して、売れ残った広告スペースのための広告を提案するステップ、もしくは、売れ残った広告スペースを提案するステップを含んでもよい。
【００２９】
好ましくは、本システムは、世界規模のシステムを介して、オンラインのグラフィカルユーザインタフェースを提供する手段を含む。これにより、買い手および売り手は、情報を受信する手段に対して複数の情報を送信できる。本システムは、携帯電話システムであってもよい。本システムは、買い手および売り手がサーバと相互作用するためにサーバに接続されるコンピュータにてアクセスして使用できるウェブサイトに関連づけられるオンラインのインタフェースを提供してもよい。
【００３０】
例えば、情報資源および検索装置を提供することにより、行き詰まった広告掲載行為の提案および販売を促進するような方法もしくはシステムが提供されてもよい。この検索装置は、情報資源に接続されるグラフィカルユーザインタフェースを特定し、特定の媒体フォーラムおよび／または目標とする特定の聴衆のマーケティング担当者、広告掲載行為の買い手、もしくは広告スペースを購入したいその他の人に売れ残った広告スペースを提案する。そして、出版会社や他の人々に売れ残った広告スペースにおいて使用するための広告を提案する。
【００３１】
好ましくは、このウェブサイトは、ウェブサイトにおける誘導を提供することによりユーザを支援するための少なくとも１つのカテゴリおよび／または小見出しが提供される少なくとも１つのウェブページを有する。
【００３２】
さらに好ましくは、各カテゴリでは、行き詰まった広告掲載行為において使用される少なくとも１つの広告が提供されてもよい。
【００３３】
好ましくは、本発明のユーザは、ウェブサイトへの適切なアクセスができるように、会員になる必要があってもよい。
【００３４】
本発明の好ましい態様では、ユーザに統計情報が提供されてもよい。これにより彼らは、市場における現在のもしくは現在進行中のトレンドを判断できる。
【００３５】
本発明の好ましい態様では、顧客が資金援助を獲得できるようにする選択肢が提供されてもよい。
【００３６】
現在、オンライン環境における広告掲載行為に関して利用可能な唯一の方法および／またはシステムは、個人および／または企業に製品および／またはサービスの広告の掲載を許可するウェブサイトを含む。これらの既存システムでは、出版物や媒体における広告スペースへの問題解決を提供できない。特に、出版会社および／または媒体提供者がマーケティング担当者、広告掲載行為の買い手、および媒体の広告を購入したいその他の専門家に対して行き詰まった広告掲載行為を提案して販売する手段を提供できない。
【００３７】
行き詰まった広告掲載行為を販売しようとする出版会社および／または媒体提供者と、媒体の広告を購入したい広告掲載行為の買い手およびその他の専門家は、本発明の好ましい態様が非常に好都合なものであると感じるだろう。
【００３８】
本発明のある態様は、広告掲載行為に使用される情報を調整する方法である。この方法は、行き詰まった広告掲載行為において使用されるための広告をそれぞれ提案する複数の広告情報の組を受信するステップと、複数の広告情報の組を保存するステップと、行き詰まった広告掲載行為における基準に合致する少なくとも一組を特定するために、広告をそれぞれ提案する保存された複数の広告情報の組を検索するステップとを含む。
【００３９】
好ましくは、この方法は、売れ残った広告スペースの販売の提案に関連づけられる広告情報の組を受け付けるステップをさらに含み、この広告情報の組には広告掲載行為における基準が含まれている。
【００４０】
本発明のある態様は、広告掲載行為に使用される情報を調整する方法である。この方法は、広告スペースの販売をそれぞれ提案する複数の広告情報の組を受信するステップと、複数の広告情報の組を保存するステップと、行き詰まった広告掲載行為における基準に合致する少なくとも一組を特定するために、広告スペースの販売をそれぞれ提案する保存された複数の広告情報の組を検索するステップとを含む。
【００４１】
好ましくは、この方法は、行き詰まった広告掲載行為において使用されるための広告に関連づけられる広告情報の組を受信するステップをさらに含み、この情報には広告掲載行為における基準が含まれている。
【００４２】
この広告は潜在的な広告であってもよく、売れ残った広告スペースは潜在的な売れ残った広告スペースであってもよい。好ましくは、この方法は、少なくとも１つの確認情報を受信するステップを含む。
【００４３】
他の態様および好ましい態様は、本明細書において開示され、および／または、本発明の記載の一部を構成する添付の特許請求の範囲に規定される。このことは、本明細書の全ての部分に等しく適用される。
【００４４】
Ｃ  事前設定
好ましくは、この方法は、売れ残った広告スペースの販売を提案する広告情報の組において使用される情報項目を事前設定するステップを含む。売れ残った広告スペースの販売を提案する広告情報の組は、さらに別の事前設定において後で使用されるために保存されてもよい。
【００４５】
好ましくは、方法は、行き詰まった広告掲載行為において使用されるための広告を提案する広告情報の組において使用される情報項目を事前設定するステップを含む。行き詰まった広告掲載行為において使用されるための広告を提案する広告情報の組は、さらに別の事前設定において後で使用されるために保存されてもよい。
【００４６】
Ｄ  売り手水準の価格表
好ましくは、この方法は、販売にて要求される金額が価格表と合致するように、売れ残った広告スペースの販売を提案する広告情報の組を制御するステップを含む。
【００４７】
好ましくは、この方法は、行き詰まった広告掲載行為の提案金額が価格表と合致するように、行き詰まった広告掲載行為において使用されるための広告を提案する広告情報の組を制御するステップを含む。
【００４８】
好ましくは、この方法は、価格表を決定するために、会員情報を検索するステップを含む。ある態様では、広告情報の組を制御するステップは、広告情報の組を変更するステップを含む。
【００４９】
好ましくは、この方法は、伝統的な広告掲載行為と比較して大幅に減じた金額に販売金額を制限するステップを含む。好ましくは、提案もしくは要求される金額は閾値と比較される。
【００５０】
Ｅ  選択的サービス
好ましくは、この方法は、広告情報の組を変更して特定の項目を含めさせる選択肢を提供するステップを含む。この項目は、行き詰まった広告掲載行為に対して選択的に選択される背景色を含んでもよい。好ましくは、この方法は、この選択にしたがって販売金額を決定するステップを含む。
【００５１】
本発明のある態様は、広告掲載行為に使用される情報を調整する方法である。この方法は、広告スペースのための広告と関連づけられる広告情報の組を受信するステップであって、この広告情報の組は、その後、多くの受信された複数の広告情報の組の一部となるステップと、特定項目を含むように広告情報の組を制御する選択肢を提供し、この選択にしたがって販売金額を決定するステップとを含む。
【００５２】
ここで開示される全ての方法と同様に、この方法を実行するように適合される関連システムもまた想定される。
【００５３】
好ましくは、広告情報の組は広告スペースの販売を提案し、この選択肢は、望ましい色、画像、特殊な表示形式、優先順位リスト、および目標とする市場のリストの中の少なくとも１つを含む。
【００５４】
Ｆ  値引きされたパッケージ
本発明の一態様である方法は、第１の発行媒体に関連づけられる第１の広告情報の組を受信するステップと、第２の発行媒体に関連づけられる第２の広告情報の組を受信するステップと、値引きされるパッケージに関連づけられる合成された広告情報の組を生成するステップとを含み、生成するステップは、第１の広告情報の組と第２の広告情報の組とを組み合わせることを含む。
【００５５】
好ましくは、生成するステップは、第１の発行媒体と異なる第２の発行媒体に制約される。これに関連して、この方法は、好ましくは、第１の発行媒体が第２の発行媒体と異なるとき、値引きされる販売金額を決定するステップを含む。
【００５６】
好ましくは、この方法は、それぞれの発行媒体にそれぞれ関連づけられる３つの広告情報の組を受信するステップを含む。この３つの広告情報の組は、第１および第２の広告情報の組を含み、それぞれの発行媒体は異なる。生成するステップは、広告情報のそれぞれの組を組み合わせるステップを含む。
【００５７】
好ましくは、複数の広告情報の組は、所定の基準にしたがって組み合わせられる。
【００５８】
Ｇ  合致させる検索サービス
本発明のある態様は広告掲載行為に使用される情報を調整する方法である。この方法は、広告スペースのための広告と関連づけられる複数の広告情報の組を受信するステップと、複数の広告情報の組を保存するステップと、少なくとも一国もしくは万国に基づく検索を指定するためのグループから選択される検索を指定する基準であって、広告掲載行為における基準についての入力を制御するステップと、広告掲載行為における基準と合致する少なくとも一組を特定するために、保存された複数の広告情報の組を検索するステップとを含む。
【００５９】
好ましくは、この広告スペースは、売れ残った広告スペースである。
【００６０】
Ｈ  逆検索
本発明のある態様は、広告掲載行為に使用される情報を調整する方法である。この方法は、行き詰まった広告掲載行為において使用されるための広告をそれぞれ提案する複数の広告情報の組を受信するステップと、複数の広告情報の組を保存するステップとを含み、行き詰まった広告掲載行為において使用されるための広告をそれぞれ提案する複数の広告情報のそれぞれの組は、関連づけられる販売金額を含むことで、行き詰まった広告掲載行為における基準であって、関連づけられる販売金額の制限を特定する基準にしたがった検索を可能にする。
【００６１】
本発明のある態様は、広告掲載行為に使用される情報を調整する方法である。この方法は、行き詰まった広告掲載行為において使用されるための広告をそれぞれ提案し、関連づけられる販売金額をそれぞれ含む複数の広告情報の組を受信するステップと、複数の広告情報の組を保存するステップと、行き詰まった広告掲載行為における基準であって、関連づけられる販売金額の制限を特定する基準と合致する少なくとも一組を特定するために、広告をそれぞれ提案する保存された複数の広告情報の組を検索するステップとを含む。
【００６２】
特定の業界の領域において、広告産業は特に自滅を招いている。例えば新聞業界では、媒体の買い手およびスタッフによる様々な変量により価格が設定される。この業界では、広告代理店と大部分を取引している小規模のメディア企業および大規模のメディア企業のための全国的な基準を先導者が獲得することは特に困難である。
【００６３】
この逆検索は、好ましくは、これらの典型的な変量に応じてオークションシステムを実現する。これにより、売れ残った在庫を移動させようとする代わりに、スタッフを小売り販売に集中させられることで、メディア企業はコストを抑制できる。実施の形態において、この方法は、広告スペースの売り手にとってより高い価格を提供し、もしくは、広告スペースの買い手にとってより低い価格を提供するように適合される。
【００６４】
Ｇ  オークション
本発明のある態様は、広告掲載行為に使用される情報を調整する方法である。この方法は、オークションを開始するステップと、売れ残った広告スペースのための広告に対応づけられる情報であって、関連づけられる販売金額をそれぞれ含む複数の広告情報の組を受信するステップと、オークションの中で、関連づけられる販売金額に基づいて、複数の広告情報の組の中から１つを選択するステップとを含む。
【００６５】
実施の形態では、複数の広告は、オークションの形式で顧客に提供されてもよい。
【００６６】
Ｈ  他の媒体種類
本発明のある態様は、広告掲載行為に使用される情報を調整する方法である。この方法は、広告スペースのための広告と関連づけられる複数の広告情報の組を受信するステップと、複数の広告情報の組を保存するステップと、行き詰まった広告掲載行為における基準と合致する少なくとも一組を特定するために、保存された複数の広告情報の組を検索するステップとを含み、複数の広告情報の組は、出版広告、テレビ広告、ラジオ広告のグループから選択される少なくとも１つの媒体種類と関連している。
【００６７】
複数の媒体種類を調達するウェブポータルの提供は特に好適である。特定の組み合わせには、出版、テレビ、ラジオによる広告、および広告看板による広告が含まれてよい。主要なメディア企業における様々な部門は、様々な種類の出版物のために準備される。本発明の実施の形態では、単一のウェブポータルにより、会員は多数の種類の媒体もしくは出版物を選択に応じて一つのシステムで管理できる。グループは、オンラインの媒体、戸外の媒体、環境の媒体、電子媒体、その他将来利用可能になる新たな媒体等の媒体を含んでもよい。
【００６８】
Ｉ  バナー
本発明のある態様は、広告掲載行為に使用される情報を調整する方法である。この方法は、バナー用広告スペースのための広告と関連づけられる広告情報の組を受信するステップと、広告情報の組をそれぞれのバナー広告と関連づけるステップとを含む。
【００６９】
広告情報の組をそれぞれのバナー広告と関連づけるステップは、バナー広告を作成するステップを含んでもよい。
【００７０】
本発明のある態様は、広告掲載行為に使用される情報を調整する方法である。この方法は、バナー用広告スペースのための広告と関連づけられる複数の広告情報の組を受信するステップと、広告情報の各組がバナー用広告スペースのそれぞれおよびバナー広告のそれぞれと関連づけられるように、複数の広告情報の組をそれぞれ関連づけるステップとを含む。
【００７１】
好ましくは、この広告情報の組は、バナー用広告スペースの提案もしくはバナー広告の提案を含む。
【００７２】
好ましくは、この方法は、複数の広告情報の組を保存するステップと、バナーの広告掲載行為における基準と合致する少なくとも一組を特定するために、保存された複数の広告情報の組を検索するステップとをさらに含む。
【００７３】
Ｊ  慈善行為機能
本発明のある態様は、広告掲載行為に使用される情報を調整する方法である。この方法は、広告スペースのための広告と関連づけられる広告情報の組を受信するステップであって、広告情報の組は、その後、多くの受信された複数の広告情報の組の１つとなり、コミュニティを意識する関係者への寄贈に関連づけられる特定項目を含む選択肢を提供するステップとを含む。
【００７４】
好ましくは、複数の広告情報の組は、広告スペースの販売をそれぞれ提案する。そして、選択肢は、広告スペースが所定期限内に販売されない場合、コミュニティを意識する関係者にこの広告スペースを使用させることを含む。
【００７５】
Ｋ  資金提供
本発明のある態様は、資金提供に使用される情報を調整する方法である。この方法は、資金提供に関連づけられる資金提供情報の組を受信するステップと、受信された資金提供情報の組に基づいて、資金提供を提案するステップとを含む。
【００７６】
本発明のある態様は、資金提供に使用される情報を調整する方法である。この方法は、潜在的な資金提供に関連づけられる複数の資金提供情報の組を受信するステップと、各資金提供情報の組がそれぞれの資金提供と関連づけられるように、複数の資金提供情報の組をそれぞれ関連づけるステップとを含む。
【００７７】
Ｍ  デザインサービス
本発明のある態様は、広告掲載行為に使用される情報を調整する方法である。この方法は、広告スペースの提案の選択を許可するステップと、広告が所定期限で作成されるために、広告を作成するための作成サービスを提供するステップとを含む。
【００７８】
本発明のある態様は、広告掲載行為に使用される情報を調整する方法である。この方法は、売れ残った広告スペースのための広告に関連づけられる広告情報の組を受信するステップと、広告が行き詰まった所定期限で作成されるために、広告を作成するための作成サービスを提供するステップとを含む。
【００７９】
好ましくは、デザインサービスを提供するステップは、デザインが数分以内で作成されるように、オンライン環境を使用して広告を作成するデザインサービスを提供することを含む。この作成サービスは、グラフィックアーチストのような第三者により実行されてもよい。
【００８０】
デザインサービスを提供するステップは、４８時間以内にデザイナーに広告を作成させる選択肢を提供してもよい。デザインサービスを提供するステップは、２４時間以内にデザイナーに広告を作成させる選択肢を提供してもよい。デザインサービスを提供するステップは、１２時間以内にデザイナーに広告を作成させる選択肢を提供してもよい。デザインサービスを提供するステップは、６時間以内にデザイナーに広告を作成させる選択肢を提供してもよい。デザインサービスを提供するステップは、１時間以内にデザイナーに広告を作成させる選択肢を提供してもよい。デザインサービスを提供するステップは、３０分以内にデザイナーに広告を作成させる選択肢を提供してもよい。
【００８１】
好ましくは、本発明は、早急な変更に適合するデザインサービスを提供するステップを含む。これにより、顧客は、広告掲載行為のためのデザイン作業を出版期限もしくは媒体の期限までに完成させることができる。
【００８２】
Ｎ  １セッションでの購買
本発明のある態様は、広告方法である。この方法は、セッションを生成するステップと、このセッションにおいて、所定期限内での広告スペースの購入、広告のデザイン、およびデザインが施された広告の提供を手配するステップとを含む。
【００８３】
単一のセッション内で、この動作を実現できることは、非常に好都合である。
【００８４】
Ｏ  キャンペーン作成装置
本発明のある態様は、広告方法である。この方法は、広告主のためのキャンペーンを作成するステップを含む。
【００８５】
このシステムにおいてオンラインファイルセンターは、マーケティングプランや、広告および画像のテンプレートを保管する。好ましくは、キャンペーンのスケジュールが生成可能なキャンペーンカレンダーが提供される。会員がキャンペーンの計画をオンラインで作成して、会員センターへの保存を選択した場合にはその計画を保存でき、もしくは、その計画をダウンロードできるように、このシステムはウィザードを提供してもよい。
【００８６】
このウィザードは、好ましくは、特定の会員が検索し、もしくは、マーケティングプランに取り組む間に、目標とされる広告掲載行為をこの会員に帰属させるキーワードを取得する。
【００８７】
ある会員が彼らのプランを記述し、もしくは、特定のキーワードを入力するとき、このシステムはその単語を認識でき、それらのキーワードにより目標とされる広告をページに送信する。このウィザードは、システムを介して購入させるための創造的な戦略による広告キャンペーンを展開するプロセスを通じて広告主を獲得する。そしてウィザードは、必要とする特定の媒体を使用できるように広告主がアラートや価格を設定できるようにする。広告主は、キャンペーンスケジュールを設定する間に、作成サービスをオンラインで注文することもでき、パッケージを購入し、注文することもできる。
【００８８】
Ｑ  アラート
本発明のある態様は、広告掲載行為に使用される情報を調整する方法である。この方法は、売れ残った広告スペースのための広告と関連づけられる複数の広告情報の組を受信するステップと、複数の広告情報の組を保存するステップと、行き詰まった広告掲載行為における基準に合致する少なくとも一組を特定するために、保存された複数の広告情報の組を検索するステップと、行き詰まった広告掲載行為における基準に合致する少なくとも１つの広告情報の組と関連づけられる関係者にアラートを送信するステップとを含む。
【００８９】
本発明のある態様は、広告掲載行為に使用される情報を調整する方法である。この方法は、行き詰まった広告掲載行為において使用されるための広告をそれぞれ提案する複数の広告情報の組を受信するステップと、複数の広告情報の組を保存するステップと、行き詰まった広告掲載行為における基準に合致する少なくとも一組を特定するために、広告をそれぞれ提案する保存された複数の広告情報の組を検索するステップと、行き詰まった広告掲載行為における基準に合致する一組が特定されるとき、関係者にアラートを送信するステップとを含む。
【００９０】
好ましくは、アラートを送信するステップは、行き詰まった広告掲載行為において使用されるための広告を提案する関係者にアラートを送信することを含む。アラートを送信するステップは、売れ残った広告スペースを購入するために、行き詰まった期間内に返信することを関係者に要求する緊急アラートを送信することを含んでもよい。好ましくは、この方法は、完成され、締め切りに間に合うように準備できる広告を関係者が保持することを要求する。行き詰まった期間は３０分でもよく、締め切りは２時間を含んでもよい。
【００９１】
本発明のある態様は、広告掲載行為に使用される情報を調整する方法である。この方法は、広告スペースの販売をそれぞれ提案する複数の広告情報の組を受信するステップと、複数の広告情報の組を保存するステップと、行き詰まった広告掲載行為における基準に合致する少なくとも一組を特定するために、広告スペースの販売をそれぞれ提案する保存された複数の広告情報の組を検索するステップと、行き詰まった広告掲載行為における基準に合致する一組が特定されるとき、関係者にアラートを送信するステップとを含む。
【００９２】
この広告は、潜在的な広告であってもよく、この売れ残った広告スペースは、潜在的な広告スペースであってもよい。好ましくは、この方法は、少なくとも１つの確認情報を受信するステップを含む。
【００９３】
Ｒ  強調表示
本発明のある態様は、広告掲載行為に使用される情報を調整する方法である。この方法は、売れ残った広告スペースのための広告と関連づけられる複数の広告情報の組を受信するステップと、複数の広告情報の組を保存するステップと、行き詰まった広告掲載行為における基準に合致する少なくとも一組を特定するために、保存された複数の広告情報の組を検索するステップと、特定の複数の広告情報の組が行き詰まった広告掲載行為における基準に繰り返し合致しないとき、特定の複数の広告情報の組を強調表示するステップとを含む。
【００９４】
好ましくは、複数の広告情報の組を強調表示するステップは、特定の複数の広告情報の組に読み手を誘導するためのオンライン出版物を提供することを含む。
【００９５】
他の実施の形態では、本システムは、販売に長い時間を要している広告を含むオンラインのニュースレターや電子マガジンを提供してもよい。これにより、ウェブサイトは定期的に更新され、またリフレッシュされ、最新の広告掲載行為についての購入可能性を顧客に提供できる。
【００９６】
Ｓ  統計データの収集と提供
本発明のある態様は、広告掲載行為に使用される情報を調整する方法である。この方法は、売れ残った広告スペースのための広告と関連づけられる複数の広告情報の組を受信するステップと、複数の広告情報の組についての統計データを整備するステップとを含む。
【００９７】
本発明のある態様は、広告掲載行為に使用される情報を調整する方法である。この方法は、売れ残った広告スペースのための広告と関連づけられる複数の広告情報の組を受信するステップと、行き詰まった広告掲載行為における基準に合致する少なくとも一組を特定するために、保存された複数の広告情報の組を検索するステップと、複数の広告情報の組についての統計データを整備するステップとを含む。
【００９８】
好ましくは、統計データを整備するステップは、保存された複数の広告情報の組の中でどれが繰り返し検索されたかを示す統計データを整備することを含む。
【００９９】
Ｔ  ＲＯＩ計算装置
本発明のある態様は、広告掲載行為に使用される情報を調整する方法である。この方法は、売れ残った広告スペースのための広告と関連づけられる広告情報の組を受信するステップと、オンラインシステムを使用して、広告情報の組に関連づけられる必要な投資利益率の目安の計算を促進するステップとを含む。
【０１００】
好ましくは、この指標に基づいて、少なくとも１つの広告もしくは少なくとも１つの売れ残った広告スペースを提案するステップをさらに含む。
【０１０１】
好ましくは、この方法は、販売戦略を提案するステップをさらに含む。
【０１０２】
Ｕ  フランチャイズ
このシステムは、広告スペースが購買されるために、他のウェブサイトやシステムと直接リンクされる。例えば、フランチャイズ企業はリンクやフレームを追加できる。これにより会員は、フランチャイズ企業のメインのウェブサイトから離れることなく、このシステムにアクセスできる。会員はそれからログインでき、このシステムから直接購買できる。広告代理店はこのシステムを使用することで、顧客のために行き詰まった広告掲載行為を購入できる。好ましくは、この方法を第三者とともに実行するために、システムとリンクするステップをこの方法は含む。これにより、第三者はこの方法を実行するように見える。
【０１０３】
Ｖ  オンラインインタフェース
本発明のある態様は、行き詰まった広告掲載行為を売買するシステムである。このシステムは、行き詰まった広告掲載行為を購入および／または販売するために、会員登録した少なくとも一の買い手および／または会員登録した少なくとも一の売り手によりアクセス可能な少なくとも一のデータベースを有するサーバと、買い手および／または売り手がサーバと相互作用するための手段を提供するウェブサイトの形式であるオンラインインタフェースと、売り手が、利用可能な行き詰まった広告掲載行為のための少なくとも一の広告であって、少なくとも一の広告の定価を含み、行き詰まった広告掲載行為に関する全ての関連情報を詳述する広告を直接アップロードできる手段と、買い手が利用可能な行き詰まった広告掲載行為を検索して選択できる検索手段と、買い手が行き詰まった広告掲載行為を直接購入できる支払い手段と、買い手が広告用コンテンツを直接アップロードできる手段とを含む。
【０１０４】
本発明のある態様は、行き詰まった広告掲載行為を売買する方法である。この方法は、分散された通信網上にサーバを提供するステップと、サーバは、行き詰まった広告掲載行為を購入および／または販売するために、会員登録した少なくとも一の買い手および／または会員登録した少なくとも一の売り手によりアクセス可能な少なくとも一のデータベースを有し、売り手が行き詰まった広告掲載行為において使用される少なくとも一の広告を直接アップロードするステップと、検索手段を介して、買い手が少なくとも一の検索基準を入力することにより利用可能な行き詰まった広告掲載行為を検索して、検索基準に合致する利用可能な行き詰まった広告掲載行為を詳述する検索結果を受信するステップと、買い手が少なくとも一の行き詰まった広告掲載行為を選択し、当該選択した行き詰まった広告掲載行為を直接購入するステップと、買い手が広告用コンテンツを直接アップロードするステップとを含む。
【０１０５】
好ましくは、行き詰まった広告掲載行為は、値引きされた料金で提案されて購入される。そして、デザインサービスが提供される。買い手は、行き詰まった広告掲載行為を購入した後で、特定の公開期限までに、このデザインサービスによりデザインもしくは創作業務を完成させてアップロードさせることを選択できる。
【０１０６】
本発明のさらなる適用の範囲は、以下の詳細な説明によって明らかになる。しかしながら、詳細な説明および具体例は、本発明の好適な実施の形態を示すものではあるが、例示として与えられただけであり、本発明の精神および範囲内の様々な変更および改良が明らかであることは、当業者であればこの詳細な説明から理解されるところである。
【発明を実施するための最良の形態】
【０１０７】
本発明のさらなる開示、目的、利点および態様は、添付の図面と併せて以下の好適な実施の形態の説明を参照することにより、関連する技術分野の当業者であればより理解されるであろう。図面は、説明図として与えられるが、これらは、本発明を限定するものではない。
【０１０８】
図１および図２を参照して、本発明の好適な実施の形態にかかる広告の方法１０を示す。ブロック１２において、方法１０は、広告スペース１６に関連づけられた広告情報１４を受信することを含む。ブロック１８において、方法１０は、広告情報２０を送信することを含む。ブロック図１８において送信された広告情報２０は、受け付けられた広告情報１４との関係を有する。
【０１０９】
この特定の実施の形態では、広告情報１４および広告情報２０は、行き詰まった広告掲載行為に関連している。別の実施の形態では、広告情報１４および広告情報２０は、小売りの広告掲載行為に関連している。さらに別の実施の形態では、広告情報１４および広告情報２０は、安売りの広告掲載行為に関連している。行き詰まった広告掲載行為は、タイムリミット寸前のまたは売れ残りの広告スペースに関連している。
【０１１０】
図２を参照して、広告掲載行為で使用される情報を調整するための方法２２を示す。この方法２２は、本発明の別の実施の形態にしたがって提供される。ブロック２４において、方法２２は、売れ残った広告スペースのための広告と関連づけられた複数の異なる広告情報の組２６を受信することを含む。異なる複数の広告情報の組２６は、異なる売れ残った広告スペース２８の販売をそれぞれ提案する。
【０１１１】
ブロック３０において、方法２２は、複数の広告情報の組を記憶することを含む。そして、ブロック３２において、複数の広告情報の組２６が受信されて記憶されると、方法２２は、ブロック３４において検索することを含む。より具体的に言えば、記憶された複数の広告情報の組２６は、行き詰まった広告掲載行為における基準３６に合致する少なくとも一組３８を見つけるためにブロック３４において検索される。
【０１１２】
ブロック４０において、方法２２は、複数の異なる広告情報の組４２を受信することをさらに含む。この広告情報の組４２は、行き詰まった広告掲載行為において使用されるための広告４４をそれぞれ提案することにより、売れ残った広告スペースのための広告と関連づけられる。異なる複数の広告情報の組４２は、ブロック４６において記憶される。方法２２では、記憶された複数の広告情報の組４２をブロック４８においてさらに検索して、行き詰まった広告掲載行為における基準５２に合致する少なくとも一組５０を決定する。
【０１１３】
行き詰まった広告掲載行為における基準５２は、売れ残った広告スペース２８の販売を提案する異なる複数の広告情報の組２６の中から選択された１つの広告情報により生成される。本実施の形態における複数の広告情報の組２６それぞれは、求める広告についての必須の種類を指定する。例えば、ガーデニングの広告であること、スポーツの広告であること、コンピュータ関係の広告であること、自動車の広告であることなどである。複数の広告情報の組は、さらに、特定の原則色における広告の特定の大きさ等を指定する。これらの必要条件は、異なる複数の広告情報の組２６の中から選択された１つの中で、行き詰まった広告掲載行為における基準５２の少なくとも一部として特定される。
【０１１４】
反対に、行き詰まった広告掲載行為における基準３６は、異なる複数の広告情報の組４２の中の特定の１つから生成される。これらの広告情報４２は、行き詰まった広告掲載行為において使用されるための対応する広告４４を提案する。本実施の形態における複数の広告情報の組４４のそれぞれは、広告の特定の種類を規定し、広告において使用される原則色、例えばオレンジ、紫、黄色等を規定する。
【０１１５】
図３を参照して、広告掲載行為に使用される情報を調整するためのシステム５４を示す。このシステムは、本発明の好適な実施の形態にしたがって提供される。このシステムは、売れ残った広告スペースのための広告と関連づけられた異なる複数の広告情報の組５８を受信するための受信手段５６を含む。このシステム５４は、さらに、複数の広告情報の組５８を記憶するための記憶手段６０と、行き詰まった広告掲載行為における基準６６に合致する少なくとも一組６４を特定するために、記憶された複数の広告情報の組を検索するための検索手段６２とを含む。
【０１１６】
この実施の形態では、複数の異なる広告情報の組５８のそれぞれは、売れ残った異なる広告スペース６８の販売を提案し、その結果、売れ残った広告スペースのための広告に適宜関連づけられる。受付手段５６は、さらに、行き詰まった広告掲載行為において使用されるための広告７２をそれぞれ提案する異なる複数の広告情報の組７０を受信するように設定されている。
【０１１７】
システム５４は、広告情報の組７０から行き詰まった広告掲載行為における基準６６を生成することにより、販売される特定の売れ残った広告スペース６８を１以上の広告７２に対応づけて、広告７２を使用可能にできる。このプロセスの逆のプロセスについても実行される。
【０１１８】
顕著な利点の一つは、これにより、“平均的な”個人または中小企業が、販売される売れ残った広告スペースを調達できることである。広告を提供する“平均的な”個人または中小企業による金銭の支払いがシステム５４を通して行われることで、広告スペースの販売を提供した主体は支払いを追跡しなくてよい。広告スペースの提供者の多くは、このように本システムにアクセスできる。この実施の形態では、金銭の支払いは、オンラインのクレジットカードシステムを使用して、オンラインで実施される。
【０１１９】
異なる広告スペース６８の販売をそれぞれ提案する複数の広告情報の組５８のそれぞれは、特別の緊急標識を有することが想定される。例えば、検索手段６２が複数の広告情報の組６４を特定したとき、その複数の組６４は特定の順序でランク付けされてもよい。しかし、緊急標識によって複数の緊急標識を分類するように、販売価格が使用されてもよい。例えば、高価、中程度、安価等の分類が想定される。
【０１２０】
図４において図示されるように、システム５４は、ログイン名７５とパスワード７７の入力をユーザに促すウェブポータル７４を提供する。例えば、メディア企業７６がポータル７４にアクセスするとき、メディア企業７６は安全なログイン区分を使用してログイン名およびパスワードの入力を促される。その後、メディア企業７６が、システム５４のデータベース記憶領域８０に記録された会員であるか否かが決定される。メディア企業が会員として登録されていない場合には、会員資格の申込みを行うブロック８２においてメディア企業を促して、オンラインの登録フォームに入力させる。メディア企業７６が必要な詳細情報の全てを提供すると、メディア企業７６は認証され、その詳細情報はデータベース記憶領域８０に記憶される。
【０１２１】
この点について、広告スペースの提供に関連する代理店のような複数の主体がメディア企業７６の役割を果たしてもよいと理解される。提供者との間で既に取引があるとき、代理店は代理店契約にしたがって、購入する際に金銭の支払いが要求されることなく、本システムを使用できる。代理店が本システムを介して購入すると、手数料の小切手が送付される。上述するように、広告主は典型的には、オンラインのクレジットカード設備を介して、購入時に金銭を支払う。
【０１２２】
図３および図４を参照して説明する。メディア企業７６が照合されると、この企業７４は、ブロック８６において、提供者センター８４へのアクセスができるようになる。企業はここから、売れ残った販売スペースの販売をそれぞれ提案する複数の広告情報の組５８のような情報をアップロードできる。このようにして、メディア企業７６は提供者センター８４にアクセスして、最初の期限より前に買い手に販売するために、売れ残りの広告スペースについての売れ残った広告スペース詳細情報をアップロードできる。ブロック８８において示されるように、メディア企業７６は、媒体の種類を含む詳細情報を入力する。この実施の形態において、媒体の種類には広告看板の媒体、雑誌媒体、新聞媒体、タクシーの媒体等が含まれ、それらはメディア企業７６により選択される。
【０１２３】
望ましくは、ブロック８８において、事前設定の方法が提供される。これには、メディア企業７６によりアップロードされる広告情報の組において使用される情報項目にデータを事前設定することが含まれる。統計に基づく情報が保持されるデータベース記憶領域８０にアクセスすることにより、売れ残った広告スペースの詳細情報を受け付けるためにブロック８８において使用されるフィールドに、典型的な媒体の種類や色を事前設定できる。
【０１２４】
広告情報の組５８が生成された後で、その広告情報の組は保存され、ブロック９０において活性化される。以降、広告主はブロック９２において購入し、およびウェブ検索を使用して特定するために、その広告情報の組を利用可能になる。さらに、情報が保存されると、後に事前設定で使用するために、データベース記憶領域８０の統計データがその情報により更新される。
【０１２５】
システム５４は、特別な検索機能を有するサーチエンジン形式の検索手段を保持する。この検索機能は、会員がシステムを使いこなすことができ、会員が所望する適切な媒体のフォーラムや広告掲載行為を検索できるように作成されている。この検索エンジンは、ブール演算子、自然言語、または検索結果を作成するための検索基準の選択を利用できる。このサーチエンジンは、検索を制限しあるいは拡大するために利用できる検索基準を少なくとも１つ提供する。検索基準には、カテゴリー、ターゲット市場、価格、媒体の種類、媒体の発行者やラジオ局やテレビチャンネルの名称、キャンペーンの日程、状態、新旧のリスト、デモグラフィック情報、格付け、またはその他有用な検索基準が含まれる。検索基準は、これらにしたがって検索結果を発見するように適合される。
【０１２６】
このサーチエンジンは、ワンクリック検索のためのボックスを提供する。これにより、会員は広告掲載行為を検索でき、また、媒体の提供者は特別な知識や業界用語を知らなくても同様に検索できる。このサーチエンジンにより、会員はボックスにキーワードやフレーズ等、どんな種類の文字でも入力でき、ワンクリックでの広範囲の検索を利用できる。検索が入力されると、システムは、広告スペースの提供者および広告主の全ての広告情報を保持するデータベースを全体検索して、商品、サービス、常連、目標とする市場、デモグラフィック情報等に関連する広範囲の詳細情報を提供する。それから本システムは全ての整合データを表示する。
【０１２７】
このシステムは、また、デモグラフィック情報や目標とする市場のようなデータベースの特定フィールドを対象とした構造的な詳細検索を可能にする。
【０１２８】
このシステムは、売り手によりアップロードされた行き詰まった広告掲載行為のための複数の広告情報の組を提供する。本実施の形態では、売り手にはメディア企業や代理店が含まれる。広告情報のそれぞれの組には詳細情報が含まれる。それは例えば、カテゴリ、出版社名や企業名（例えば、ザ・エッジやチャンネル１０）、希望小売価格、割引価格、割引率、キャンペーンの日程、締め切り日、販売される広告の説明（例えば、フルカラーで２ページのバナー広告）、キャンペーンの状況、目標とする市場、広告掲載行為において要求される形式や仕様である。
【０１２９】
広告スペースの提供者は、サーチエンジンを使用できることで、よりビジネスの範囲が広がり、メディア企業に対してより優位な立場に立つことができ、地方のメディア企業に特別の利益をもたらすと考えられる。
【０１３０】
メディア企業７６は、また、システムに既にアップロードされている売れ残った広告スペースを提案する過去の複数の広告情報の組５８にもアクセスでき、それらを変更できる。この変更は、広告スペースの大きさ、色、種類のような必須仕様の変更であってもよく、例えば非表示にするような無力化も含まれる。これには、情報を使用可能な状態から使用不可能な状態に変更することも含まれる。本実施の形態では、複数の広告情報の組５８は、ＸＭＬデータベースシステムに記憶される。他のデータベースシステムや分散型ネットワークとすることもまた考えられる。
【０１３１】
メディア企業７６は、提供者センター８４にアクセスでき、彼らの広告が広告主に何回確認されたかを示す統計データを確認できる。彼らはまた、彼らの媒体の種類に合致するアラートが何回設定されたかを確認でき、彼らの登録詳細情報に合致する他の詳細情報を確認できる。このように、メディア企業７６は、タイムリミット寸前で売れ残っている広告スペースの在庫が潜在的な買い手により確認されているかどうか、そして、買い手の気を引くために変更を加えるべきかどうかを評価できる。
【０１３２】
このように、電話や人のような伝統的な方法を介して現在販売されている売れ残った広告スペースのための非常に効果的なソリューションをシステム５４が提供することは明らかであろう。このシステムは、潜在的な広告主が地方の業者を素通りしにくくすることで、地方の新聞紙に対して特に効果的であると考えられる。
【０１３３】
さらに、システム５４によれば、出版会社や媒体提供者は、広告の必要条件を考慮して、行き詰まった広告掲載行為を提供できる。逆に言えば、システム５４によれば、好都合なことに、広告スペースの購買者達は、様々な種類の商品およびサービスについて、広告露出を得られる見込みと比べて比較的低価格にて出版会社や媒体提供者から行き詰まった広告掲載行為を購入できる。
【０１３４】
売れ残った広告スペースにとってシステム５４が魅力有るものとなるために、このシステムは売れ残った広告スペース６８の販売を提案する複数の広告情報の組５８を制御する手段を含む。これにより、要求金額は事前に決定された価格表と合致する。事前に決定された価格表には、特定の媒体の種類における特定の広告サイズについての販売額が設定されている。
【０１３５】
したがって、典型的には周知の新聞において販売される広告スペースのために、事前に決定された価格表は、その広告がわずか１５ドルで販売されることを保証する。このように、システム５４は、小売り広告や安売り広告もまた包含する。通常、行き詰まった広告掲載行為はより低い価格を提供する。その広告スペースのために提案される広告には、時間の制約があるために、広告スペースの売り手による比較的高い需要があるからである。
【０１３６】
システム５４は、データベース８０に保持された会員情報を検索する手段を含み、事前に決定された契約に従って価格表を決定する。この契約において販売金額を制御することには、例えば最大値を超えた金額を入力できないように、データ入力フォームを事前設定することを含む。他の態様において広告情報の組を制御することには、最大値を超えた金額が入力されると、広告情報の組を変更することを含む。
【０１３７】
さらに、システム５４は、業界もしくは会員に基づき特定される様々なログインから、価格表を決定できる。これにより、システム５４は異なる価格表を認識でき、特定のアクセスレベルや場所に基づいて異なる価格を設定できる。
【０１３８】
さらにまた、システム５４では、オプション手段１１０が提供される。本実施の形態では、オプション手段１１０は、売れ残った広告スペース６８を提案する広告情報の組を変更して、特定の主要な背景色のような特定の情報項目を含める選択肢を提供するためのモジュールを含む。システム５４には所定の設定が施されてもよく、これにより、この選択肢が選択されるときに、価格表は販売価格の最高値がより低くなること、および選択される選択肢に対応する金額をメディア企業７６が請求されることを保証する。広告サイズ等を対象とする他の態様も想定される。これらには、画像、特定の表示形式、優先度のついたリスト化、ＳＭＳの通知、目標とする市場のリスト化が含まれる。これらオプションのそれぞれは、追加の所定費用を支払うことにより利用できる。
【０１３９】
本実施の形態では、異なる種類の戸外媒体が好都合なことに提供され、システム５４は、例えば、バスの待合所、広告看板、タクシーの屋根に対応できる。印刷媒体、ラジオ媒体、テレビのような直接媒体にもまた対応できる。
【０１４０】
さらにまた、システム５４には、これら複数種類の媒体を１つの割引パッケージの中にまとめるためのオプション手段１１１が含まれる。このオプション手段１１１は、それ自体で一つの実施の形態を形成することは明らかだろう。図５にて示すように、提供者は、例えば新聞媒体のような１種類の媒体として第１の広告情報の組１１２を保存する。提供者はその後、売れ残ったバスの待合所、広告看板、もしくはタクシーの屋根の媒体として第２の広告情報の組１１４を保存する。提供者は、２つの別個の広告情報の組に詳細情報を入力する。
【０１４１】
システム５４のブロック１１６において、この例では新聞媒体に関連づけられた第１の広告情報の組１１２が受信される。続いてシステム５４は、この例ではバスの待合所媒体に関連づけられた第２の広告情報の組１１４を受信する。そして、ブロック１１７においてシステム５４は、割引パッケージ１１８を形成する選択肢を提供者に提供する。この割引パッケージ１１８には、印刷媒体およびバスの待合所媒体両方についての売れ残った広告スペースが含まれる。
【０１４２】
この選択肢が選択され、第２の公開媒体が第１の公開媒体と異なるとき、システム５４は、第１の広告情報の組１１２と第２の広告情報の組１１４とを結合することで、結果として得られる広告情報の組を形成する。販売金額は価格表にしたがって決定される。第１の公開媒体が第２の公開媒体と異なる場合、販売金額は割り引かれる。
【０１４３】
この態様は、現在のメディア企業がオンラインで売買される割引パッケージを提供していないときに特に効果的である。売り手がオンラインにて割引パッケージを販売できることにより、売り手は新たな優位性を築ける。本システムは、生産費用を含む選択肢を提供して、いずれの種類の媒体の要望に応じて、複数種類の媒体をオンラインで１つのパッケージに結合する。
【０１４４】
システム５４において、パッケージモジュールが提供する機能によって、提供者は一緒にパッケージしたい広告を選択できる。システム５４は、各広告の主要な見出しと、バンドルした際の合計価格とを示す。パッケージが表示される際に、価格表にしたがって価格をさらに割り引くかの選択肢が提供者にさらに提供される。
【０１４５】
ラジオ等のいくつかの媒体ではさらに、作成サービスの費用を本システムを介してパッケージに付加する機能が広告スペースの提供者に提供される。この機能は、買い手に選択肢として提供されてもよく、完全なパッケージの一部として提供されてもよい。
【０１４６】
図６にて示される実施の形態では、方法１２０が提供される。この方法は、ブロック１２２において、広告スペース１２５のための広告に関連づけられた複数の広告情報の組１２３を受信することを含む。また、ブロック１２４において、複数の広告情報の組を保存することを含む。より具体的には、方法１２０は、検索元となる少なくとも一国もしくは万国を特定するグループから選択された検索を特定するために、ブロック１２６において、広告掲載行為における基準１３０の入力を制御することを含む。続いてメソッド１２０は、ブロック１２８において、広告掲載行為における基準に合致する少なくとも一組を見つけるために、保存されている複数の広告情報の組を検索することを含む。
【０１４７】
このように、システム５４は、一国もしくは万国を基準として好適に作用し、利用可能な売れ残った広告スペースを提供できる。システム５４は、包括的な検索を実施する世界規模の検索機能を提供する。これにより会員は、要求される基準に合致する売れ残った広告スペースを提供するメディア企業を探し出せる。
【０１４８】
好適には、検索で使用されるアルゴリズムにより、広告掲載行為に関連する全情報のための一元的なディレクトリを提供する単一の検索画面から変数を探し出せる。システム５４はメールセンターを含み、広告スペースの提供者および／または広告主は、これを利用して最初の問い合わせができる。
【０１４９】
提供者センター８４では、広告の提案の追加、広告の追加、提案の変更、過去の提案の参照、提案の統計データの参照、広告の販売やトレンドに関する業界ニュースの参照、売り手と買い手のフォーラムを含む特定のフォーラムへの参加のための機能が提供される。好適には、提供者センター８４およびウェブポータル７４を介して、ポッドキャスト技術が使用されてもよい。業界ニュースおよび記事が提供され、また、会員がアイデアや質問を交換するためのオンラインフォーラムと結合された広告掲載行為について会員がスタッフに質問できるフォーラムが提供されることにより、関心が呼び起こされるであろう。
【０１５０】
さらにまた、会員が広告掲載行為やマーケティングのために使用できる新たなツールが、広告掲載行為に関連する様々な無料ソフトウェアのユーティリティのダウンロードにより提供されるだろう。オンラインで操作可能な、またはポッドキャストを介して視聴可能な、企業向けのオンラインでのチュートリアルも想定される。
【０１５１】
オンラインでのチュートリアルのためのポッドキャストの設備に加えて、この技術は業界ニュースや記事のストリーミング配信および広告のストリーミング配信に使用できる。
【０１５２】
売り手および買い手のフォーラムは、アイデアや質問を共有する会員のためのフォーラムや、業界の専門家が最新の情報を投稿して会員が返信できるブログを提供する。これらのフォーラムやブログは、予約購読でき、また他のオンラインシステム経由で連携させられる。さらにまた、オンラインのニュースレターや会報は、定期的に更新され、購読できるように会員からアクセス可能にされている。
【０１５３】
供給者センター８４は、パスワードにより保護される。会員は供給者センター８４の設備を使用して、会員詳細情報の変更および追加、取引内容の確認、買い手からの問い合わせに対応するのためのメールセンターへのアクセス、提供される出版物の種類または媒体の種類についての追加または削除ができる。
【０１５４】
さらにまた、提供者センター８４は、提供者に逆検索を実行する機能を提供する。この逆検索では、提供者が逆検索フィールドに数値を入力すると、システムは価格でマッチングして、入力された価格以上にて広告スペースを購入する意思のある会員を表示する。この態様では、行き詰まった広告掲載行為において使用されるための異なる広告をそれぞれ提供する異なる複数の広告情報の組が受信されて保存されており、広告情報の組のそれぞれには、関連づけられた売上高が含まれている。これにより、関連づけられた販売金額における制限を特定する行き詰まった広告掲載行為における基準にしたがって、以降の検索を可能にする。
【０１５５】
行き詰まった広告掲載行為における基準には、買い手が支払う意思のある出版物または媒体種類あたりの価格が含まれてもよい。これは例えば、周知の新聞出版物における広告の最大列数について１５ドル／列であってもよい。この情報は、広告スペースの買い手により設定されて、データベース８０に保存される。売り手はその後データベース８０にアクセスして、買い手が売り手の在庫に対して支払う意思のある料金を確認できる。売り手がその料金を承認すれば、買い手に連絡できる。
【０１５６】
望ましくは、匿名の電子メールでの連絡またはＳＭＳシステムを含む電気通信網を介した連絡によって、買い手に情報を提供でき、買い手が提案された金額にて売れ残った広告スペースを購入できるようにする手段がシステム５４には設定されている。
【０１５７】
本態様において、提供者が表示される仕様にて広告スペースを販売したいときには、提供者はリンクをクリックすればよい。そうすれば、詳細情報を入力するためのページが供給者に提供される。その後、システム５４は参照コードを発行して、広告主に情報が送信される。
【０１５８】
行き詰まった広告掲載行為への参照の中には、提案された広告スペースを広告主が受け入れるための時間が設定されているものもある。広告主がその広告スペースを購入したい場合、広告主は、設定時間内にメッセージ上の購入ボタンをクリックして、購入手続きを踏む必要がある。この設定時間は広告スペースの提供者により決定される。例えば、締め切りまで３０分、締め切りまで６０分、締め切りまで１２時間、締め切りまで２日間等であってもよい。
【０１５９】
図７を参照して、広告主について説明する。広告主９４は、ウェブポータル７４を使用して行き詰まった広告掲載行為において使用されるための広告をアップロードする。この行為を実行するために、広告主９４は、ウェブポータル７４にログオンする。それから広告主９４は、ブロック９６において、ログイン名およびパスワードの入力を促される。広告主９４がデータベース記憶領域８０に記録された会員でない場合、広告主９４はオンラインのフォームを使用して登録するように促される。広告主９４の証明書が認証されると、広告主９４の詳細情報は、ブロック９８において、データベース記憶領域８０に保存される。
【０１６０】
ブロック１００において、広告主センター１００へのアクセスが広告主９４に提供される。ここから広告主９４は、売れ残った広告スペースにおいて使用されるための広告を提供するための広告詳細情報をアップロードできる。広告主９４はこのタスクの実行において、ボタンをクリックし、オンラインのフォームに詳細情報を入力する。既述したように、このフォームのフィールドには、データベース記憶領域８０に保存された統計データを使用して、データが事前設定されている。
【０１６１】
センタ１００において、広告主９４は、広告スペースに対し支払い意思のある価格を設定できる。新聞出版物には、列あたりの価格、最大費用、ページや位置が記載される。この情報はデータベース８０に保存される。それからシステム５４は、データベースにアクセスして、その関連づけられた広告のために利用できる広告スペースを行き詰まった広告掲載行為の提供者いずれかが有しているかを特定する。
【０１６２】
同図では、広告主９４により利用可能な検索オプション１０２を示している。この検索オプション１０２により、広告主９４は行き詰まった広告掲載行為に関して要求する広告掲載行為における基準を入力する。これは、ブロック１０４において実行される。
【０１６３】
この検索オプションの前提として、異なる広告スペースの販売をそれぞれ提案する多数の広告情報の組が受信されてデータベース８０に保存されている。このとき、検索オプション１０２により、異なる広告スペースの販売をそれぞれ提案する複数の保存された広告情報の組を検索でき、広告に関連づけられる行き詰まった広告掲載行為の基準に合致する少なくとも一組を特定できる。
【０１６４】
本実施の形態において、要求される広告掲載行為の基準は、アップロードされた広告情報の組の一部として入力され、これには特定の色、サイズ、種類が含まれる。
【０１６５】
その後、広告主９４には、検索オプション１０２により特定された少なくとも１つの広告スペースを購入する選択肢が提示される。ブロック１０６において、取引サーバは、買い手により選択された売れ残った広告スペースを提案するメディア企業に広告情報の組を送信する。これが受け入れられると、その広告スペースはもはや販売には供されず、システムは買い手に請求書を送付する。本実施の形態において、この請求書は取引を完了させるために、ブロック１０９においてクレジットカードによる即時払いを要求する。その後、提供者には支払い確認の電子メールが送信される。システムは他の購入方法を代わりに使用してもよい。ある実施の形態では、広告が合意した基準に合致しない場合、支払いが一部返金されてもよい。図８に、ウェブポータル画面のプリントアウトを示している。
【０１６６】
図７には図示していないが、システム５４には制限が含まれ、この制限により広告主９４は、予定した価格に合致する支払金額を有する広告スペースだけを検索できる。このように、行き詰まった広告掲載行為に対して提供される金額が価格表に合致するように、本システムは広告主９４により入力された広告情報の組を制御する。
【０１６７】
バンドルされたパッケージに対して、広告主は、関連づけられたリンクをクリックすることで、バンドルされたパッケージにて提供されるそれぞれの広告スペースに関する個別の情報を取得できる。広告主は、バンドルされたパッケージの提供について、広告スペースの提供者に匿名で連絡でき、その提供を受け入れる場合には、買い手はそのバンドルされたパッケージを購入できる。
【０１６８】
広告主センター１００において、広告主は検索ボックスに任意の文字を入力でき、これに基づき、システム５４はデータベース８０にアクセスする。データベース８０における検索可能なデータベースフィールドには、メディア企業の登録項目や、検索可能のタグ付けがなされているパッケージおよび全ての広告が含まれる。このように、広告主は、広告スペースを購入するために関連情報を検索するための任意のキーワードを使用できる。広告主は、単一のキーワード検索を使用してもよく、アドバンスト検索により検索の範囲を絞り込んでもよい。データベース８０の特定フィールドを使用し、検索データベースにそれをプログラムすることにより、システム５４は一国および万国のウェブサイト全体に対する包括的な検索ができる。
【０１６９】
オークションの環境もまた促進される。そこでは、オークションが開始され、関連づけられた販売金額を含む広告情報の組であって、売れ残った広告スペースのための広告に関連づけられる異なる複数の広告情報の組が受信される。オークションでは、選択プロセスが実行される。そこでは、複数の広告情報の組のうちの１つが関連づけられた販売金額に基づいて選択される。
【０１７０】
本システムは、２種類のオークションに対応できる。第１のオークションでは、特定の販売金額において、複数の広告情報の組は異なる広告をそれぞれ提案する。ここでは、広告スペースの買い手は、特定の売れ残った広告スペースに対して値段をつける。第２のオークションでは、特定の販売金額において、複数の広告情報の組は異なる広告スペースの販売をそれぞれ提案する。ここでは、広告スペースの売り手は、広告掲載行為における使用のために提供される特定の広告に対して値段をつける。
【０１７１】
ブロック１０８において、広告主には広告の作成についての選択肢が提供される。背景色についての他の選択肢と同様に、この選択肢には追加費用が含まれる。この選択肢が選択されると、買い手が購入した広告スペースのための広告をデザインするための費用の大きさをシステム５４が買い手に通知する。ブロック１０８において提供される作成システムは、短納期のオンラインでのデザインサービスを提供する。現在、１セッションの中でオンラインにて広告を購入でき、作成でき、送信できるシステムはない。
【０１７２】
本システムによれば、広告主は、１セッションの中でオンラインにてバナー広告を購入でき、作成でき、アップロードでき、納品できる。本システムでは、バナー用広告スペースのための広告に関連づけられる広告情報の組が受け付けられる。その後、この組はバナー用広告スペースのそれぞれ、および、バナー広告のそれぞれに関連づけられる。本システムにおいて、買い手はバナー広告を購入でき、オンラインでそれらを作成するか、またはシステムに追加可能な作成済みのバナー広告を使用するかを選択できる。
【０１７３】
バナー作成システムによれば、会員は、オンラインのバナー広告を作成する手順を支援するプログラムにアクセスできる。会員は、静止したテンプレートを使用するか、またはアニメのバナーテンプレートを使用するかを選択できる。これを実現するために、動的なシステムのように特に開発されたバーナーテンプレートであって、独自に暗号化されたバナーテンプレートの収集物をシステムは格納する。この動的なシステムでは、詳細なプログラミングが不要のユーザフレンドリーなインタフェースを介して、暗号は会員により変更される。これは特に望ましい態様である。
【０１７４】
本システムによれば、広告主は、彼らのロゴをアップロードでき、特定のアニメやフラッシュの画面を作成でき、広告の内容や音楽を追加できる。彼らがバナー広告を作成すると、彼らはそれを保存でき、システムを介して売り手にバナー広告を直接送信できる。あるいは、後日の利用やその他の目的のために、彼らはバナー広告を会員センターに保存できる。会員は広告掲載行為を購入するときだけでなく、いつでもバナー作成システムを使用できる。そのシステムの使用に関連づけられた費用が設定されている。
【０１７５】
買い手がバナー広告を作成できるか、もしくは既存のバナー広告をアップロードできるとき、このバナーシステムは非常に効果的であると考えられる。クリックの回数や彼らが購入したパッケージに基づいて、買い手はこのシステムにバナーをアップロードできる。このシステムは、１以上のウェブサイトにこれらのバナー広告を組み入れ、さらに表示時間を自動設定できる。
【０１７６】
既述したように、本システムの顕著な特徴は、広告スペースの提供が選択されると、システムにプログラムされている所定の計算方法を使用して、広告をデザインするための費用をシステムが合算することである。所定の計算方法は、広告のサイズや広告ごとの費用を含む変数にしたがって動作する。その後、買い手はブロック１０８において作成システムにアクセスできるので、買い手には費用が示され、最終的な請求書にこの費用を追加する選択肢が提供される。
【０１７７】
広告スペースの提案および広告を作成するデザインサービスの提案の選択後、作成システムは、所定期限内に広告が準備されることを保証するように動作する。ユーザには２つの選択肢が提供される。第１の選択肢は、彼ら自身でオンラインにて広告を作成することであり、第２の選択肢は、彼らに代わって所定期限内にこのタスクを実行するデザインサービスを契約することである。
【０１７８】
第１の選択肢が選択されて、買い手である広告主がシステムにログインすると、広告主は、購入された広告に一致するサイズの様々なテンプレートにアクセスできる。これらのテンプレートに対し、テキスト、画像、色等を広告主が操作できる。広告主は彼らのロゴをアップロードでき、テキストの変更もできる。広告は数分以内に作成でき、広告主は、彼らの広告を購入、作成でき、広告スペースの提供者にすべてオンラインで早急に納品できる。テンプレートは、広告をメディア企業に直送するための納品サービスを自動化するプログラムであって、第三者のプログラムにより提供されてもよい。
【０１７９】
第２の選択肢は、高所得者向けの高級雑誌のために購入された広告をターゲットとする。このような高級雑誌では、ほとんどの買い手がこれらの種類の広告スペースに対し個人的なデザインを施すよりもグラフィックデザイナーを好む。この第２の選択肢では、望ましくは、多くのデザインサービス提供者の中の１つが利用される。例えば、買い手が事前に準備された広告コンテンツを持たず、売り手が完成した広告コンテンツを必要とする場合、広告主は選択した提供者に金銭を支払う。
【０１８０】
デザインサービスは、２４時間から４８時間の間、迅速な変更に適合させられている。例えば、顧客は行き詰まった広告掲載行為を購入するとき、締め切りまでにデザインを完了できるデザイナーを使用できる。
【０１８１】
これにより、出版期限までに準備ができないという単純な理由で、個人および／または企業が行き詰まった広告掲載行為を購入できないという問題を軽減できる。ウェブサイトに組み込まれた施設を介して、デザインサービスはオンラインで購入および／または契約される。これにより、潜在的な買い手は、すべての詳細項目の説明をアップロードもしくは提供でき、オンラインにてデザインでき、情報を直接デザイナーに提出できる。
【０１８２】
買い手がデザイナーと直接話ができるように、デザイナーの詳細な連絡先は利用可能な状態にされている。あるいは、売り手が完成すべきデザインを体系づけているとき、買い手は行き詰まった広告掲載行為を購入する際にこのサービスを要求できる。
【０１８３】
いくつかの場面において、広告主は、システムを介してデザイナーに対し、コンテンツ、画像、ロゴをアップロードする。デザイナーは、それから、広告をデザインでき、承認を得るためにシステムや電子メールを介して、広告を広告主に送信できる。本システムは許可制である。本システムにおいて会員は、デザインを確認でき、広告を変更させるか承認するかを選択できる。この結果は、デザイナーに返信される。
【０１８４】
準備される広告は、印刷または配信の準備ができているメディア企業に、第三者のツールを使用して正しいフォーマットにてデジタル処理で納品される。
【０１８５】
セッションを生成すること、および、所定期限内に広告スペースの購入、広告のデザイン、デザインされた広告の提供を手配することを含み、生成されたセッション内でこの手配が実施される方法が提供される場合に、本実施の形態は特に好適であると考えられる。
【０１８６】
現在のメディア企業、特に印刷媒体はタイムリミット寸前に広告主から広告を得られる。例えば、印刷前５時間の時点で全ページの広告を得る場合もある。この場合、今日のメディア企業は、自社広告や社説により紙面を埋めなければならないこともあり、これは困難な作業である。本実施の形態によれば、売れ残った広告スペースを容易に埋めることを可能にするソリューションが提供される。
【０１８７】
図７を参照して、本発明の好適な実施の形態にしたがってアラートシステム１２０を説明する。このアラートシステムによれば、参加者は、システムに提供される特定種類の広告または広告スペースに対するアラートを設定できる。このアラートシステムは、様々なアラート方法を介して、基準と広告情報とのマッチングを自動実行する。１つのアラートとして、売り手および買い手は、電子メール、ＳＭＳ、その他電気通信システムにより通知を受けられる。このシステムにより収集された統計データはアラートシステムに統合される。これにより、収集された統計データは、検索の対象もしくはアラートの設定対象として、広告主および広告スペース提供者に示される。
【０１８８】
本実施の形態によれば、広告主はブロック１２２において検索を実行して、売れ残った広告スペースを特定する。検索に何もヒットしないとき、広告主は、ブロック１２４においてアラートシステムを使用することにより、設定された要件とマッチングするためのアラートを設定することによって対処する。ブロック１２６において示されるように、広告主は、マッチング要件に合致する広告スペースの提案を提供者がアップロードするとき、電子メールやＳＭＳを介してアラートを受けるかを選択する。この態様において、異なる広告スペースの販売をそれぞれ提案する異なる複数の広告情報の組が受信されて保存される。その後、本システムは、異なる広告スペースの販売をそれぞれ提案する保存された複数の広告情報の組をブロック１２８において検索して、広告主により設定された行き詰まった広告掲載行為における基準１３０に合致する少なくとも一組を特定する。ブロック１３２において多くの広告スペースが利用可能になった後、これが実施される。その後、行き詰まった広告掲載行為における基準に合致する一組が特定されるとき、ブロック１３４においてアラートが広告主に送信される。
【０１８９】
これは図９で示される一の種類のアラートである。同図では、会員は通常の検索もしくは高度な検索を使用できる。そして彼らの要件に合致する広告がない場合には、会員はシステムを介してアラートを設定できる。会員は、電子メール、ＳＭＳ、または両方を介して、アラートを受けるかを選択する。提供者がこのアラートに合致する広告スペースをアップロードすると、買い手はアラートを通知される。別の種類のアラートでは、広告主が広告をアップロードすると、所定の基準に合致する広告スペースを提供する広告スペース提供者が通知を受ける。
【０１９０】
別の実施の形態にしたがって、図１０で示される別の種類のアラートを説明する。ブロック１３６において広告スペースを検索する広告主は、検索にヒットがなく、ブロック１３８において赤色のアラートを登録する。このアラートに対し、加入者も赤色のアラートを登録し、関連づけられる広告スペースをブロック１４０においてアップロードするとき、広告主には提供者の提案の存在を示すためにアラートが通知される。これにより広告主には、この提案を受け入れる場合、広告を購入するために３０分の期限内に返信しなければならない旨が通知される。これはブロック１４４にて実施される。
さらにまた、ブロック１４６において広告の購入が受け付けられた後、締め切りに間に合うように、広告主は４時間から１２時間もしくは２時間以内に提供可能な広告を保持することも要求される。
【０１９１】
この種類のアラートの場合、広告スペースの提供者は、オンライン化するためにシステムに広告スペースをアップロードする代わりに、広告スペースの要件と合致する登録会員に売り手情報をアラートするアラートデータベースへのアップロードを選択する。広告スペースの詳細項目は、この種類のアラートを受信することを選択しており、要件に合致するこれらの会員に、電子メールやＳＭＳを介して送信される。
【０１９２】
広告もしくは広告スペースの提供を受け入れた後、会員はログオンして、払い出された参照コードを使用して購入を完了させる。あるいは、電子メールまたはＳＭＳに基づく完了プロセスが採用されてもよい。
【０１９３】
他の種類のアラートには、指定価格アラートが含まれる。これは、広告主にとっては、広告スペースの提案が特定種類の広告に対する指定価格を下回るときのアラートである。また、提供者にとっては、指定価格より高い購入価格にて広告スペースを埋めるための広告が提供されるときのアラートである。
【０１９４】
このシステムの一部として、さらに別の広告方法が提供される。この方法により、ウィザードを使用してキャンペーンを作成できる。この方法では、広告主が多数のフィールドに情報を入力する様々な書式を使用する一連の質問が提供される。これらのフィールドでは、キャンペーンの書面による明細、対象、目標とする市場、収入の見込み、経費の見込み等を含む情報が要求される。そのプロセスの間、ウィザードは、特に望ましくは、例や説明を提供する。質問は順次提供され、広告主には、後述する投資利益率の計算機を含むいくつかの計算機を使用する機会が提供される。キャンペーンに関する情報が生成されると、広告主はスケジュールシステムにアクセスできるようになる。広告主は、このシステムを使用して、キャンペーン期間中にアラートを設定すること、広告の入手可能性を検索すること、用件およびスケジュールに合致するパッケージを検索することができる。
【０１９５】
さらにまた、スケジュールシステムは、カレンダーおよびリマインダシステムを提供する。このシステムを使用することにより、広告主は、広告の購入、デザインの仕事、または広告の納品に対するカレンダー上の締め切り前に、ＳＭＳや電子メール等による通知を設定できる。キャンペーンの企画が完了すると、それは電子メールにて通知され、会員セクションに保存され、またはプリントアウトされる。広告主は、様々な形式を選択でき、キャンペーンはその形式にて保存される。会員は、通知システムのツールバーに、通知のためのカレンダーも追加できる。
【０１９６】
一連の質問には、企業の詳細や企業名等に関する質問が含まれる。最初のステップでは、一連の質問における最初のセクションのタイトル、例えばエグゼクティブ・サマリーが広告主に示される。最初のステップの間に、図示されるように広告主は、エグゼクティブ・サマリーの目的が何かに関する詳細説明を確認でき、参考になる例が提供される。この態様では、広告主は、割り当てられたスペースに直接タイプして入力する、そして、文書を整形して彼らを手助けするのに利用できる様々なツールも提供される。
【０１９７】
エグゼクティブ・サマリーのすべての項目に入力した後、広告主は、ボタンをクリックして次のセクションに移動する。広告主は実行するキャンペーンを保存できる。これにより、一度にキャンペーン全ての入力を完了しなくても、広告主は会員用の記憶センタにそれを保存でき、後に開いて続きを入力できる。キャンペーンの全ての項目に入力されると、システムは、専門的な、整形されたマーケティングプランを生成する。オプションとして、ＰＤＦまたはＭＳＷＯＲＤの書式がある。
【０１９８】
マーケティングプランの作成中に、システムは、特定の会員がウェブサイトの検索またはキャンペーン／マーケティングプランに取り組む間に、目標とされる広告掲載行為に対して使用したキーワードを取得する。会員が彼らのプランを記述し、または特定のキーワードを入力するとき、システムはその言葉を認識して、それらのキーワードで目標とされた広告をページに送信する。ポータルシステムは、会員が彼らのプランを記述するときに、そのウィザードからキーワードを抽出できる。以降、その会員がウィザードシステムを利用する間、特定の広告掲載行為をそのページに向ける。
【０１９９】
本システムは、トレンド分析に使用するために、ユーザの行動についての統計データおよびログデータを収集する。収集される統計データには、買い手の情報、売り手の情報、媒体の広告情報、デモグラフィック情報、販売／入札／交換の記録、検索データ、サイトのトラヒックデータ、媒体出版社のデータ、ＩＳＰの記録、銀行取引の記録、広告コンテンツ、質問データ、およびメッセージセンターの記録が含まれる。バナー広告を含むオンライン広告について、収集される統計データには、バナー広告を見た人数、クリックの回数、そしてそれらを変換した統計データがさらに含まれる。
【０２００】
この態様では、実際のポータルサーバと分割もしくは統合される関連データベースが存在する。これには、収集された様々な統計データ、例えばデモグラフィック情報、格付け、その他様々な情報が含まれる。これらの情報は、目標とする市場を特定してモニタリングする際に出版会社やメディア企業にとって有用な統計データをユーザに提供する研究グループまたはソフトウェアプログラムにより得られる。
【０２０１】
統計データを提供する手段が、ウェブサイトにて提供される情報およびウェブサイトを通して実施される行為を記録し、評価し、再生するように適合させられることも想定される。例えば、どの検索用語および／またはカテゴリが数多く検索されているか、購入される売れ残った媒体の割合、市場における現在のもしくは現在進行中の様々なトレンドを示すことで出版会社やメディア企業にとって有用な複数の重要情報および統計データを決定してもよい。
【０２０２】
その結果は、表形式、グラフ、もしくは関連情報への容易かつ迅速なアクセスを提供するその他の適当な形式にて再生される。統計データは、望ましくは、このデータに追加費用を支払ってでもアクセスしたい企業に販売される。このように、行き詰まった広告掲載行為を購入および販売するための方法およびシステムは、個人および／または企業にとって、価値あるリソースツールとして使用されるものである。それはまた、広範囲のデモグラフィック情報の公開を提供することにより、個人および／または企業のための追加的なマーケティング手段を提供する。本システムはまたオンラインのマーケティングツールを提供してもよいと考えられる。これにより個人および／または企業は、ビジネスプランおよびマーケティングプランの作成を支援するリソースツールとして本システムをさらに利用できる。
【０２０３】
本システムは、出版会社またはメディア企業にとって有用な様々な統計データをユーザが得られる手段を提供する。統計データを提供する手段が、ウェブサイトにて提供される情報およびウェブサイトを通して実施される行為を記録し、評価し、再生するように適合させられることも想定される。例えば、どの検索用語および／またはカテゴリが数多く検索されているか、売れ残った媒体のうち購入されることになる割合、市場における現在のもしくは現在進行中の様々なトレンドを示すことで出版会社やメディア企業にとって有用な複数の重要情報および統計データを決定してもよい。その結果は、表形式、グラフ、もしくは関連情報への容易かつ迅速なアクセスを提供する他の適当な形式にて再生される。この統計データにアクセスしたい企業にこのデータが販売されることも考えられる。
【０２０４】
特に好適な特徴においては、特定の広告もしくは広告スペースが継続して選択されない場合、それらは他の会員の気を引くために雑誌にて公開される。これには、売れ残った広告スペースのための広告に関連づけられる異なる複数の広告情報の組を受信して、それらを保存することが含まれる。これら複数の広告情報の組が検索され、行き詰まった広告掲載行為における基準に合致する少なくとも一組が特定される。その後、特定の複数の広告情報の組が行き詰まった広告掲載行為における基準に繰り返し合致しないとき、その特定の複数の広告情報の組は強調表示される。これは上述のように、関連づけられる統計データを収集することにより実行される。
【０２０５】
この態様では、読者を特定の複数の広告情報の組に導くオンライン出版物を提供し、および、広告を含むオンラインのニュースレターや電子マガジンを提供することにより、特定の複数の広告情報の組が強調表示される。
【０２０６】
複数の広告情報の組を受け付けるウェブサイトの書式フィールドの使用は、組み込まれているスプレッドシートのアップロード設備により補完される。本システムは、提供者のスプレッドシートのテンプレートであって、必要とされる全てのフィールドに値が事前設定されているテンプレートを含む。このスプレッドシートのテンプレートはダウンロードでき、提供者はスプレッドシートを作成でき、何度も各項目に値を入力できる。スプレッドシートをアップロードする準備ができると、提供者はウェブサイトにログインして、そのスプレッドシートのアップロードを選択できる。その後、本システムはスプレッドシートからデータを収集し、データベース内の一致するフィールドにそれぞれの項目を保存する。これらのフィールドがデータベースに保存されている広告情報と合致し、提供者が広告をライブ送信するように選択したとき、広告は利用可能となり、購入のためにウェブサイトに表示される。
【０２０７】
本システムはさらに慈善活動の特徴を提供する。これにより、広告スペースの提供者は、本システムに広告スペースの提案を追加するときにフィールドを介して、特定の期限内で広告スペースが売れ残るときには、その広告を慈善団体に寄贈するための選択肢を有する。
【０２０８】
広告が販売されないとき、その提供者には、データベースから得られる慈善団体のリストにしたがってシステム内での通知が送信される。提供者は複数の慈善団体から広告を寄贈したい１以上の慈善団体を選択できる。それから本システムは、選択された慈善団体に対して、彼らが提供者から広告スペースを受領した旨の電子メールを通知する。慈善団体はそれからシステムに会員としてログインすると、会員セクションにおいて追加リンクが提供される。これにより、彼らは寄贈された広告スペースの提供を承認もしくは拒否できる。その提供が承認されると、全ての買い手に提供されるのと同様の方法にて、広告スペースが取得されることが提供者に通知される。その慈善団体は、彼らがそのように選択する場合、作成やデザインのためにシステムに割り当てられたのと同じリソースの使用を選択できる。１以上の慈善団体が選択される場合、最初に返信があった慈善団体には広告スペースが提供され、他の慈善団体にはその広告スペースが取得された旨が通知される。
【０２０９】
一の実施の形態では、広告スペースのための広告と関連づけられる広告情報の組が受信されて、多数の異なる受信された広告情報の組とともに保存される。広告スペースが所定期限内に販売されない場合、コミュニティを意識する関係者への寄贈に関連づけられる特定項目を含む選択肢であって、コミュニティを意識する関係者に広告スペースを使用させることを含む選択肢が広告情報の組の受信前に提供される。
【０２１０】
したがって、本システムはコミュニティを意識する企業にビジネスモデルを提供する。このビジネスモデルにおいて提供者は、広告スペースが販売されない場合に、その広告スペースを慈善団体に使用させるように選択できる。提供者はその慈善団体を選択でき、もしくは、システムに決定させることもできる。本システムは、承認されている慈善団体のリストから慈善団体をランダムに選択することで決定してもよい。
【０２１１】
組織、企業、製品および事業が広告の手段として資金提供を提案できる資金提供システムもまた提供される。このシステムにより、これらの企業は資金提供の提案をオンラインでアップロードでき、広範囲に渡る潜在的なスポンサーに対してアクセスできる。
【０２１２】
本システムでは、資金提供と関連づけられる資金提供情報の組がウェブポータルを介して受信され、受信された資金提供情報の組に基づいて資金提供が提案される。
【０２１３】
ウェブポータルにて利用可能となる資金提供は、事前に購入される必要はない。本システムによれば、広告主はいくつかの場面で資金提供を申し込める。この場合、本システムは、参加者とスポンサーとの間で連絡が取れるように、受け入れる参加者に全てのデータを送信する。本システムは、受け入れられた額の手数料もしくは資金提供の広告費用を課金する。
【０２１４】
このように、資金提供を求める者は、電話、電子メール、その他の時間を費やす販売技術を駆使して潜在的な資金提供者を追い求める必要はない。また、本システムによれば、買い手は、他の広告掲載行為の全てを検索するのと同様に、資金提供の機会を検索できる。慈善団体は、その慈善団体に一部を返却する参加者に資金提供してもよい。本実施の形態の資金提供システムは、慈善団体だけを対象にするわけではなく、スポーツチーム、国家的イベント、地方イベント等の資金提供もまた含む。
【０２１５】
顕著な設備の一つは、ツールバーもしくはデスクトップのアイテムである。これらは、ウェブポータルにおいて提供される売れ残った広告もしくは売れ残った広告スペースに関連する様々な情報をユーザに通知するためにダウンロードされる。
【０２１６】
提供されるもう一つの設備は、投資利益率の計算機である。この計算機を使用するとき、会員はこの計算機をクリックして、データを入力し数値を出力させるためのインタフェースを取得する。この数値は、特定の広告を購入しまたはキャンペーンを実行してから、利益を上げるもしくは損益のない状態とするためにどれだけの売上高もしくは数量が必要かを示す。
【０２１７】
この計算機は、投資費用、販売費用の平均、広告が確認される時間、後に予想される問い合わせ等を取得する。この計算機を使用することで、会員は、購入に先立って迅速な計算が可能になる。この計算機は、どのように広告するか、および、投資利益率がどれだけになるべきかが不透明な小規模企業にとって特に効果的であると考えられる。
【０２１８】
提供されるもう一つの特徴は、自由に処分できる現金を多く有しない小規模企業に対する融資モジュールである。本システムにおいて大きな取引が利用可能になるとき、例えば広告看板が２万ドルから１万ドルの半額になるように、融資機能により会員は融資の工面ができるようになる。
【０２１９】
本発明のさらに別の実施の形態では、ＳＭＳ／ＷＡＰ／３テクノロジーを使用することで、買い手および売り手は、携帯端末を介してシステムへのアクセスおよびシステムの利用ができてもよい。彼らにはまた電話注文サービスが提供されてもよい。これにより、彼らがインターネットアクセスができず、もしくは自身で検索する時間がない場合に、買い手は検索処理や報告処理を代理で実施させることができる。
【０２２０】
図１１にて示す実施の形態において、本発明は行き詰まった広告掲載行為を提案し販売するシステムを提供する。このシステムは、行き詰まった広告掲載行為を目標とする消費者、例えばマーケティング担当者、広告の買い手、もしくは広告を購入したい他の専門家に販売するように適合させられるウェブサイト１５０を提供する。本発明のこの実施の形態では、広告掲載行為は割り引かれた価格で顧客に直接提案され、行き詰まった広告掲載行為もしくはタイムリミット寸前まで販売されていない広告掲載行為にのみ利用可能でありおよび／または適用可能である。このように本発明は、行き詰まった広告掲載行為（タイムリミット寸前のもしくは売れ残った広告スペース）をオンライン環境において提案して販売するためのシステムを提供する。このオンライン環境は、目標とする顧客、例えばマーケティング担当者、広告の買い手、もしくは売れ残った広告を割引価格で購入したいその他の個人や企業に、売れ残った広告を提案し販売することに適合させられている。
【０２２１】
本システムはウェブサーバ１５０を提供する。複数の買い手２および売り手３は、インターネット等のようなオンラインの分散型コミュニケーションネットワークを介してウェブサーバ１５０と接続できる。サーバ１５０は、ＩＢＭ、ヒューレットパッカード、デル、コンパック、エイサー等のコンピュータメーカーにより製造される標準的なコンピュータシステムであってよい。
【０２２２】
本発明のこのサーバは、少なくとも１つのデータベース１５５を提供する。第１のデータベース１５８は、本システムに申し込み、そして本システムへのフルアクセスを希望する会員の詳細情報を保存するように適合させられている。会員資格は、本発明の目標となる聴衆、例えばマーケティング担当者、広告の買い手、その他の専門家を保持する手段として提供される。データベース１５８は、会員に関する情報を収集し保存することに適合させられている。この情報には、買い手１５６および売り手１５７についてのデータレコード、例えば詳細な連絡先、連絡記録、その他必要な情報を含む。図１２において図示されるように、このデータベースには、メディア広告レコード８、デモグラフィックおよび／または格付けレコード９、買い手の販売もしくは入札レコード１０、媒体／出版社レコード１２、インターネットサービスプロバイダのレコード１３、銀行取引レコード１４、買い手２もしくはデザイナーによりアップロードされる広告コンテンツ１５をまた保持してもよい。このデータベースは、プライバシー保護法にしたがって、メディアの広告を購入もしくは販売する人を認証するために使用されてもよく、または、統計目的で使用されてもよい。ユーザが所定時間に彼らの詳細情報を更新できることも考えられる。
【０２２３】
本発明のこのシステムは、ウェブサイトにフルアクセスしたい会員の詳細情報を保存することに適合させられるウェブサイトに関連づけられるデータベース１６０を有する。会員資格は、本発明の目標となる聴衆、例えばマーケティング担当者、広告の買い手、その他の専門家を保持する手段として提供される。このデータベースは、買い手および売り手を含む会員に関する情報、例えば詳細な連絡先およびその他必要な情報を収集し保存することに適合させられている。このデータベースは、プライバシー保護法にしたがって、媒体の広告を購入もしくは販売する人を認証するために使用されてもよく、または、統計目的で使用されてもよい。ユーザが所定時間に彼らの詳細情報を更新できることも考えられる。
【０２２４】
本システムは、ウェブサイト１６７の形式にて、ユーザのコンピュータを介してアクセス可能なインタフェースであって、オンラインで対話式のインタフェースを提供する。ウェブサイト１６７において、ユーザは、サーバ１５０のデータベース１５５のデータを確認でき、検索でき、保存できる。ウェブサイト１６７は、複数のウェブページを提供してもよい。これら複数のページは、相互接続もしくは相互リンクの設定がされ、ホームページおよび／またはウェブサイト内のその他のページで提供されるリンクを介してアクセスされる。各ウェブページは、そのエリアにおいてユーザを誘導し、ユーザが必要とする正しい情報や場所を発見させるための少なくとも１つのカテゴリおよび／または小見出しとともに提供されてもよい。好ましい実施の形態では、このウェブサイトは続く基本的なメニューとして詳細化構造を有してもよい。
【０２２５】
本システムは支払い手段１６９を提供する。本システムを使用することで、買い手は広告を購入でき、および／または、売り手は支払いを提供できる。支払い手段は、高レベルのセキュリティを備える電子商取引プラットフォームの形態であることが望ましい。この形態は、買い手２および売り手３間の処理が省略される等の安全な方法で、全てのトランザクションがオンライン環境を介して受け付けられて内部処理できるように適合させられている。本発明の好ましい実施の形態では、広告掲載行為がその後顧客に販売もしくは提供されるための取引前に、支払いが完了していなければならない。支払いは、プロバイダに直接受け付けられ処理されてもよく、認可された第三者を介して受け付けられ処理されてもよいと想定される。ユーザが金銭上の支援を必要とする場合、ユーザは、システムを使用することで不利な状況にならないように、後日に支払いを請求され支払いを実行できるようにするプロバイダにアカウントを持つことができる。
【０２２６】
本発明は、買い手および売り手間の処理が省略される等の安全な環境で、全てのトランザクションがウェブサイトを介して受け付けられて内部処理されるような高レベルなセキュリティを備える電子商取引の設備を提供してもよい。しかし、別の実施の形態では、ユーザに対して後日に支払いを請求して支払いを実行させるプロバイダにユーザはアカウントを持つことができてもよい。本発明の好ましい実施の形態では、広告掲載行為がその後顧客に販売もしくは提供されるための取引前に、支払いが完了していなければならない。支払いは、プロバイダに直接受け付けられ処理されてもよく、認可された第三者を介して受け付けられ処理されてもよいと想定される。
【０２２７】
図１３には本発明の実施の形態の方法が示される。この方法には、行き詰まった広告掲載行為のためのオンラインシステムの会員となり、そのシステムに対するフルアクセスを獲得して、サービスが提供される状態にするために、買い手１７２が詳細情報を登録することが含まれる。これらは、インターネットを介して買い手１７２のコンピュータを通じてアクセス可能なオンラインのポータル／インタフェースを介して実行されてもよい。買い手１７２が彼らの詳細な連絡先情報や他の必要情報を提供すると、彼らにはユニークなユーザ名およびパスワードが発行される。これにより彼らは、システムもしくはサーバ１５０にログオンでき、利用可能なサービスや設備にアクセスできる。会員資格は、買い手および売り手の会員エリアに分配される。これにより、会員は、ウェブサイトの適切なセクションにのみアクセスできる。過去の購買、販売、請求、領収、およびその他の関連情報の詳細を保持できるウェブサイトにおける彼ら自身の個人的な会員セクションへのアクセスがこれにより提供される。このようにして、買い手１７２がログインすると、彼らは、パスワードを変更もしくはアカウントを更新するような管理機能を実行できる。および／または、媒体の広告データベース１５５を閲覧できる。および／または、新たな検索および／または購入を開始することで、もしくは保存された検索および／または購入を再開することで媒体の広告スペースを購入できる。
【０２２８】
彼らはログインすることで、また、彼らがシステムを介して作成したマーケティングプランのような彼らに関連する情報の記憶領域である彼ら自身の会員センターにアクセスできる。
【０２２９】
買い手１７２は、特定の媒体フォーラムや特定の目標市場についてのサーチエンジンを介し、彼らが必要とする適切な広告掲載行為を見つけるための様々な検索基準を利用して検索ができる。総合検索を行うことで、彼らが事前に考えつかなかった新たな媒体フォーラムや目標市場へと本システムはまた買い手を案内してもよい。買い手１７２が所定の広告に関連する疑問を持つ場合、彼らはオンラインの手段を介して売り手１７３に対して直接連絡をとることができ、要望／質問をオンラインで提出することにより、疑問を解消し、もしくはさらなる情報を要求する。
【０２３０】
買い手１７２は、売れ残った広告を購入する準備ができると、「購入」ボタンを押下できる。これにより、広告の詳細情報や支払うべき価格を確認するための確認画面が表示される。買い手はこの情報が確認すると、高いレベルのセキュリティが組み込まれた電子商取引設備を有する支払いセクションに誘導される。これにより買い手は、安全な環境において、広告に対し金銭を支払うことができる。もう一つの方法として、買い手１７２は購入前に、取引に対する融資の承認を適用することもできる。これにより、プロバイダおよび／または第三の融資会社の取引として買い手の申請を承認するプロバイダに対し、買い手の詳細情報が送信される。支払いが正常に受け付けられると、広告の詳細情報、支払い確認、およびデザイン／芸術作品が提出される期限を示す領収書が買い手１７２に示される。買い手１７２はこの領収書を印刷でき、もしくは、彼らがウェブサイトにログインするときにアクセス可能な彼らの会員セクションに保存しておき、後日保存された電子版に戻すことができる。買い手１７２が、広告コンテンツもしくは広告のデザイン作業をまだ完成させていない場合、出版期限もしくは媒体期限の前にその仕事を完成できるデザイナー１７６のサービスを使用するように手配できる。もう一つの方法として、売り手１７３によりその選択肢が利用可能に設定されている場合には、彼らは購入する際に創作業務の準備や完成を売り手に要望してもよい。特定の売り手による、特定の媒体についての、および／または彼らが関心のある聴衆を目標とする広告が出される場合に、買い手１７２は電子メール、ＳＭＳ、手紙、その他適切な手段によって通知されるように選択することもできる。
【０２３１】
図１４および１５を参照すると、この方法は、売り手１７３がタイムリミット寸前の行き詰まった広告掲載行為を潜在的なマーケティング担当者、広告の買い手、および他の専門家に安全で信頼できる方法にて販売できることを含む。売り手１７３は、彼らの詳細情報を登録して会員となり、行き詰まった広告掲載行為のためのオンラインシステムへのフルアクセスおよび提供されるサービスを獲得する。これは、インターネットを介して売り手１７３のコンピュータを通じてアクセス可能なオンラインのポータル／インタフェースを介して実行されてもよい。売り手１７３が彼らの詳細な連絡先情報や他の必要情報を提供すると、彼らにはユニークなユーザ名およびパスワードが発行される。これにより彼らは、システムもしくはサーバ１５０にログオンでき、利用可能なサービスや設備にアクセスできる。これに関連して、システムの利用に先立って、アカウントマネージャによる承認のための遅延が生じてもよい。
【０２３２】
過去の購買、販売、請求、領収、およびその他の関連情報の詳細を保持できるウェブサイトにおける彼ら自身の個人的な会員セクションへのアクセスがこれにより提供される。このようにして、売り手１７３がログインすると、彼らは、パスワードを変更もしくはアカウントを更新するような管理機能を実行できる。および／または、リソースツールである関連のデータベースから統計データを検索できる。および／または、アップロードおよび売れ残った広告のための広告を開始できる。
【０２３３】
売り手１７３は、定期的もしくは広告ごとに支払う必要がある所定手数料の支払いを要求される。その支払いが正常に受け付けられると、売り手１７３は行き詰まった広告掲載行為のための１以上の広告をサーバ１５０にアップロードできる。売り手１７３が広告を初めてアップロードしたとき、彼らはその広告が承認される認可を待つ必要があってもよい。売り手１７３は、また、本発明が提供する質問およびフィードバックの設備を介して、潜在的な買い手１７２からの質問を受け付けて彼らに返答することにより、潜在的な買い手１７２と連携できる。売り手１７３は、登録することで、市場のトレンドを観察するために本システムにより収集された統計データを確認できてもよい。買い手１７２および売り手１７３はともに、本システムのウェブサイト１７における広告掲載行為の購入を選択できてもよい。
【０２３４】
本発明はまた、プロバイダ１８５の収益を作り出すための手段として、本発明のウェブサイト１７において、買い手２および売り手３の両方に対する広告掲載行為を提供してもよい。このプロバイダは、アクセスを制限するため、所定のアカウントマネージャを有してもよい。彼らは例えば、アカウントを追加／削除／変更し、売り手に対し連絡先を割り当て、バナー広告を管理し、買い手および売り手の格付けを制御し、必要とされるその他の特定の義務を負うことができる。
【０２３５】
便宜上、売れ残った広告を提供して販売する方法およびシステムの観点から本発明を記載したが、定期的な広告の提供および販売にも本発明を適用できることは理解されるところである。
【０２３６】
それぞれの方法は、コンピュータシステムにおいて実装される。したがって、これらの方法を実装したコンピュータシステムと称されてもよいことは理解されるところである。さらにまた、本発明には、少なくとも１つの方法を実行するための、コンピュータが実行可能な命令を保持するコンピュータ読み込み可能な媒体が含まれる。
【０２３７】
本発明を具体的な実施の形態に基づいて説明したが、さらなる変形例が可能であることは理解されるところである。本出願は、一般に本発明の原理にしたがい、本発明の属する技術分野における既知のまたは慣習的な実践法の中に入るようなしかも上述の基本的特徴に適用されうるような本開示からの逸脱を含む、本発明のあらゆる変形形態、用途または適合を網羅するように意図されている。
【０２３８】
本発明は、本発明の本質的特徴の精神から逸脱することなくいくつかの態様において具現化することが可能であるので、上述の実施の形態は、他の特段の断りがなければ、本発明を限定するものではなく、むしろ添付の特許請求の範囲に記載された発明の精神と範囲に内包されるものであると広く解釈されるべきであることは理解されるところである。いろいろな変形例および等価なアレンジメントが、本発明および添付の特許請求の範囲の精神および範囲に含まれることは意図されている。
【０２３９】
それゆえ、特定の実施の形態は、本発明の原理が実行されうる多くの手段の具体例であることは理解されるところである。特許請求の範囲で、ミーンズプラスファンクション条項は、規定された機能を実現する構造物と、構造的均等物だけでなく、均等な構造物をもカバーすることを意図している。例えば、釘とねじについて、釘は木製部材をともに固定するために円柱面を有し、一方でねじは木製部材をともに固定するために螺旋状の面を有しているという点において、構造的均等物ではないかもしれないが、木製部材を固定するという環境においては、釘とねじは均等な構造物である。
【０２４０】
本明細書において、特徴、整数、ステップまたは構成要素の存在を特定するために、「〜を含む」を用いたが、１つまたは複数の他の特徴、整数、ステップ、構成要素もしくはその他のグループの存在もしくは追加を排除するものではない。このように、明細書や請求項を通して、前後の文脈が明らかにそうである必要がない限り、「〜を含む」「〜を含み」という言葉および同類の言葉は、排他的な意味でなく包含的な意味で解釈されるべきである。すなわち、「含むがこれに限定されるものではない」という意味に解釈されるべきである。
【図面の簡単な説明】
【０２４１】
【図１】本発明の第１の実施の形態にかかる方法を示す概略図である。
【図２】本発明の第２の実施の形態にかかる方法を示す概略図である。
【図３】本発明の第３の実施の形態にかかるシステムを示す概略図である。
【図４】図２および図３にて示される実施の形態にかかるシステム／方法を示す図である。
【図５】本発明の別の実施の形態にかかる方法を示す概略図である。
【図６】本発明の別の実施の形態にかかる方法を示す概略図である。
【図７】図２および図３にて示される実施の形態にかかるさらなるシステム／方法を示す図である。
【図８】図４および図５にて示されるポータルのスクリーンショットである。
【図９】本発明の別の実施の形態にかかる方法を示す概略図である。
【図１０】本発明の別の実施の形態にかかる方法を示す概略図である。
【図１１】本発明の別の実施の形態にかかる方法を示す概略図である。
【図１２】図１１にて示される実施の形態において使用されるレコード図である。
【図１３】図１１にて示されるシステムの概略図である。
【図１４】本発明のさらに別の実施の形態にかかる方法の概略図である。
【図１５】本発明のさらに別の実施の形態にかかる方法の概略図である。
【図１】
2008544380.tif 000003
【図２】
2008544380.tif 000004
【図３】
2008544380.tif 000005
【図４】
2008544380.tif 000006
【図５】
2008544380.tif 000007
【図６】
2008544380.tif 000008
【図７】
2008544380.tif 000009
【図８】
2008544380.tif 000010
【図９】
2008544380.tif 000011
【図１０】
2008544380.tif 000012
【図１１】
2008544380.tif 000013
【図１２】
2008544380.tif 000014
【図１３】
2008544380.tif 000015
【図１４】
2008544380.tif 000016
【図１５】
2008544380.tif 000017
【国際調査報告】
2008544380.tif 000018
2008544380.tif 000019
2008544380.tif 000020
2008544380.tif 000021
2008544380.tif 000022
2008544380.tif 000023